(57)【要約】【課題】空きスペースを徒に狭めたり、製造コストを徒に高くすることなく、所謂「ドツキ」と所謂「磁石ゴト」を効率的に防止できる遊技機用不正対策構造等を提供する。【解決手段】対面する第一導電性磁性体部に設けられ、対向する一対の固定接点部１０１Ｓ、１０２Ｓと、常時は第一導電性磁性体部と非接触な第二導電性磁性体部によって構成され、一対の固定接点部１０１Ｓ、１０２Ｓの間に揺動可能な状態に配置される揺動部材１０３と、固定接点部１０１Ｓ、１０２Ｓと揺動部材１０３との導通状態に関する判断を通じてして不正発生を検出する不正検出手段を備える。揺動部材１０３が外力によって揺動され、揺動部材１０３が一方の固定接点部１０１Ｓ、１０２Ｓに接触してこの固定接点部１０１Ｓ、１０２Ｓと揺動部材１０３とが導通状態になることで不正検出手段が不正発生を検出する。【選択図】図２１
2009142569.tif 000002
【特許請求の範囲】
【請求項１】
対面する状態に配置される一対の第一導電性磁性体部に設けられ、互いに所定の間隔を開けて対向する状態とされる一対の固定接点部と、
常時は前記一対の第一導電性磁性体部と非接触な状態とされる第二導電性磁性体部によって構成されると共に前記一対の固定接点部の間に揺動可能な状態に配置される揺動部材と、
前記一対の固定接点部と前記揺動部材との導通状態に関する判断を通じて不正発生を検出する不正検出手段と、
を備え、
前記揺動部材が外力によって揺動され、該揺動された前記揺動部材が何れか一方の固定接点部に接触して該一方の固定接点部と前記揺動部材とが導通状態になることで、前記不正検出手段が不正発生を検出することを特徴とする遊技機用不正対策構造。
【請求項２】
前記揺動部材に永久磁石を配設したことを特徴とする請求項１に記載の遊技機用不正対策構造。
【請求項３】
前記揺動部材は、前記一対の固定接点部のうちの一方に向かって突出する突片部と、前記一対の固定接点部のうちの他方に向かって突出する突片部とのうちの少なくとも一方を備えることを特徴とする請求項１又は２記載の遊技機用不正対策構造。
【請求項４】
請求項１〜請求項３の何れか一項に記載の遊技機用不正対策構造を設けたことを特徴とする遊技機。
【発明の詳細な説明】
【技術分野】
【０００１】
本発明は、遊技機用不正対策構造および遊技機に関し、特に、いわゆる羽根物、権利物、アレンジボール機、セブン機等に適用される不正対策構造およびその不正対策構造を備えた弾球遊技機に関する。
【背景技術】
【０００２】
弾球遊技機は、（１）外枠と、（２）遊技盤を保持しつつ外枠に開閉可能な状態に取り付けられる本体枠と、（３）遊技盤を覆うガラス板を具備しつつ本体枠に開閉可能な状態に取り付けられるガラス扉枠と、（４）本体枠の前面部においてガラス扉枠の装着位置よりも下方に開閉可能な状態で装着される上皿部材と、（５）本体枠の前面部において上皿部材の装着位置よりも下方に配置される下皿部材等を備えている。また、遊技盤の前面部では外側レールと内側レールとが配設されると共に外側レールと内側レールとが略円形状、略楕円形状、若しくは略長円形状に取り囲む部位が遊技領域とされる。
【０００３】
この遊技領域内において最下部にアウト口が設けられ、この最下部よりも上方の位置に各種の入球装置や入球ゲート等の盤部品が配設されている。尚、本明細書においては、入球装置のうちで、遊技球が入球することに伴って遊技球の払い出しを生ずるものを、特に「入賞装置」と称することとする。
【０００４】
かかる弾球遊技機としては、（ａ）遊技盤に配設される特定の入賞装置（以下、「特定入賞装置」という。）内に振分装置を設けるタイプの弾球遊技機（以下、「純粋振分タイプの遊技機」という。）、（ｂ）遊技盤に配設される始動入賞装置に遊技球が入球することに起因して遊技上の特典を遊技者に与えるか否かを乱数抽選するタイプの弾球遊技機（以下、「純粋セブン機タイプの遊技機」という。）、（ｃ）「純粋振分タイプの遊技機」の特徴と「純粋セブン機タイプの遊技機」の特徴を兼ね備えた弾球遊技機（以下、「融合タイプの遊技機」という。）が知られている。
【０００５】
即ち、羽根物、権利物及びアレンジボール機の多くは「純粋振分タイプの遊技機」とされており、この「純粋振分タイプの遊技機」では遊技領域内に特定入賞装置の他に、複数若しくは単数の入賞装置（若しくは、入賞口）を備えている。この「純粋振分タイプの遊技機」においては「特定入賞装置」内に遊技球が入球すると、この遊技球は振分装置に到達し、この遊技球がその後、通過する経路の振り分けが行われる。この振分装置としては、例えば、通常補足部及び特別補足部とを備えつつ略円板状に構成される振分部材と、この振分部材を回転させるモータとを備えるものを例示できる。この通常補足部は、凹部若しくは貫通孔を用いて構成されると共に、その下流側（遊技球の通過方向に沿った下流側）に通常領域部を配している。また、この特別補足部も、凹部若しくは貫通孔を用いて構成されると共に、その下流側（遊技球の通過方向に沿った下流側）に特別領域部を配している。
【０００６】
通常補足部の数が特別補足部よりも多くされつつ、通常補足部及び特別補足部は振分部材の周方向に連続配置されるため、振分装置に到達した遊技球の多くは通常補足部に補足されて通常領域部に誘導されるが、特定のタイミングで振分部材に到達した遊技球は特別補足部に補足されて特別領域部に誘導される。そして、遊技球が特別領域部に誘導される場合、遊技球が通常領域部に誘導される場合に比べて遊技機の状態が遊技者にとって有利な状態となる。例えば、「純粋振分タイプの遊技機」が羽根物である場合、遊技球が特別領域部に誘導されると、遊技機の遊技状態が通常遊技状態から大当り遊技状態（つまり、特別遊技状態）に変化することになる。
【０００７】
また、「純粋セブン機タイプの遊技機」は、遊技領域内に始動入賞装置と大入賞装置とその他の入賞装置とを配設している。この遊技機においては遊技球が始動入賞装置に入賞することに起因して当否判定が行われる。この当否判定の結果が大当りである場合、遊技機の遊技状態が「通常遊技状態」から「大当り遊技状態（特別遊技状態）」に移行する。そして、「閉鎖状態であった大入賞装置が開放状態となり、再び、閉鎖状態に戻ることを内容とする開閉動作」が、所定の回数（所謂「ラウンド数」）だけ繰り返される。
【０００８】
更に、「融合タイプの遊技機」は遊技領域内に始動入賞装置と、大入賞装置と、特定入賞装置とを配設している。この遊技機においては遊技球が始動入賞装置に入賞することに起因して当否判定が行われる。この当否判定の結果が大当りである場合、前述の「純粋セブン機タイプの遊技機」と同様に、遊技機の遊技状態が「通常遊技状態」から「大当り遊技状態（特別遊技状態）」に移行する。また、当否判定の結果が小当りである場合、「閉鎖状態にある特定入賞装置が開放状態となり、短時間（０．３秒若しくは０．４間等の短時間）で閉鎖状態に戻ること」を内容とした開閉動作を所定回数（例えば、１〜３回のうちの何れか）行う。そして、特定入賞装置に入賞できた遊技球は振分装置に到達し、振分部材によって特別領域部と通常領域部とのうちの何れかに誘導される。そして、遊技球が特別領域部に誘導されると、遊技機の遊技状態が「通常遊技状態」から「大当り遊技状態（特別遊技状態）」に移行する。
【０００９】
ところで、この種の弾球遊技機は、所謂「ドツキ」と称される不正行為や「磁石ゴト」と称する不正行為の対象となることがある。
【００１０】
つまり、「純粋振分タイプの遊技機」や「融合タイプの遊技機」において、遊技球が特定入賞装置に入賞し、これから通常補足部で補足されようとしている場合に、ガラス扉枠や上皿部材等に「不正な振動を与えること（つまり、ドツキを行うこと）」を通じて遊技盤を振動させる。そして、特定入賞装置を振動させ、当該「通常誘導部に進入しようとしている遊技球」に当該「通常誘導部への進入を阻害するような外力」を負荷する。これにより、「本来、通常領域部に到達すべき遊技球が特別領域部に到達する可能性」を生ずるため、「大当り遊技状態の発生の機会」が不正に拡大することになる。また、何れのタイプの弾球遊技機においても、ガラス扉枠や上皿部材等に「不正な振動を与え（ドツキ）」、遊技盤を振動させることで、「遊技盤を流下する遊技球」の流下経路を不正に変更させ、この遊技球を各種入賞装置に無理に入賞させる等の不正行為が行われることもある。
【００１１】
更に、何れのタイプの弾球遊技機においても、ガラス扉枠に保持されたガラス板の前面部に磁石（永久磁石）を近づけ、「遊技領域を流下する遊技球」をこの磁石の磁力を用いて所定の入賞装置に不正に誘導して入賞させるという不正行為（磁石ゴトの一態様である。）が行われることがある。若しくは、所定の入賞装置の近傍の所定の部位において、ガラス板の前面部に近づけた磁石の磁力を用いて複数個の遊技球を次々に停留させ、この停留した複数個の遊技球で略「ぶどう」のような塊を形成する。そして、この塊を用いて「遊技領域を流下する遊技球」を入賞装置に向かって不正に誘導して入賞させるという内容の不正行為（磁石ゴトの他の態様である。）が行われることがある。
【００１２】
かかる不正行為の防止を意図して、「不正行為を検出するための検出センサを具備する遊技機」が提案されている。つまり、「ドツキ」の防止を意図する弾球遊技機として振動検出装置を具備するものが提案されている（特許文献１を参照）。また、「磁石ゴト」の防止を意図する弾球遊技機として、所定の制御装置と、入賞装置に設けられて制御装置との間で信号を入出力する回路基板とを有する共に、回路基板に磁気検出センサ（磁気検出素子）を設けたものが提案されている（特許文献２を参照）。
【特許文献１】特開２００２−９０１号公報
【特許文献２】特開２００７−１８５２８５号公報
【発明の開示】
【発明が解決しようとする課題】
【００１３】
ところで、「ドツキ」及び「磁石ゴト」は何れも弾球遊技機に対する不正行為の代表例である。このため、弾球遊技機に対しては「ドツキ」及び「磁石ゴト」の双方を防止するための方策を講ずることが望ましい。特に、「融合タイプの遊技機」においては「ドツキ」及び「磁石ゴト」の双方の対象となる可能性が高いため、その要請が高い。
【００１４】
一方、「検出センサ」においては検出対象となる現象（振動、磁気）を、所定の物理量（物理量の変化）を介して検出するのであるが、従来の弾球遊技機において「振動検出センサ」が取り扱う物理量（例えば、加速度）と、「磁気検出センサ」が取り扱う物理量（例えば、磁気抵抗素子の抵抗値の変化）とが全く異質である。このため、従来の弾球遊技機においては「振動検出センサ」と「磁気検出センサ」とを別個に併存させることが必要であった。
【００１５】
しかも、このように、各検出センサが取り扱う物理量が全く異質であるため、各検出センサが検出した情報を処理するための手段（ハードウェア、ソフトウェア、若しくは、双方）として別物を用意したり、両「検出センサ」が検出した情報を処理可能な手段を構築すること等が必要となる。従って、従来の弾球遊技機において、「ドツキ」及び「磁石ゴト」の双方を防止しようとすると、その空きスペースを狭めたり、製造コスト高を招くことになる。
【００１６】
本発明は、このような問題を解決するためになされたものであり、その目的とするところは、空きスペースを徒に狭めたり、製造コストを徒に高くすることなく、代表的な不正行為（「ドツキ」及び「磁石ゴト」）を効率的に防止できる遊技機を得ることである。
【課題を解決するための手段】
【００１７】
請求項１に記載の遊技機用不正対策構造（以下、「不正対策構造」という。）は、
対面する状態に配置される一対の第一導電性磁性体部に設けられ、互いに所定の間隔を開けて対向する状態とされる一対の固定接点部と、
常時は前記一対の第一導電性磁性体部と非接触な状態とされる第二導電性磁性体部によって構成されると共に前記一対の固定接点部の間に揺動可能な状態に配置される揺動部材と、
前記一対の固定接点部と前記揺動部材との導通状態に関する判断を通じて不正発生を検出する不正検出手段と、
を備え、
前記揺動部材が外力によって揺動され、該揺動された前記揺動部材が何れか一方の固定接点部に接触して該一方の固定接点部と前記揺動部材とが導通状態になることで、前記不正検出手段が不正発生を検出することを特徴とする。
【００１８】
請求項１の発明では、遊技機に振動が加えられると、揺動部材が揺動して一方の固定接点部に当接して固定接点部と揺動部材とが導通とする。また、遊技機の前面部等に磁石（永久磁石等）を近づけた場合も、磁石（永久磁石等）からの引力（請求項２の発明では、斥力の場合もある。）により揺動部材が揺動して一方の固定接点部に当接して固定接点部と揺動部材とが導通とする。そして、これらの導通を不正検出手段が検出することを介して、遊技機に「振動力」若しくは「磁力」が負荷されたことが検出される。
【００１９】
即ち、請求項１の発明によると、「振動」と「磁気」という「本来、全く異質の現象」を、同一の「不正対策構造（不正対策用装置）」に生ずる同一の現象に置き換えて検出可能である。つまり、「揺動部材が揺れて固定接点部に当接し、固定接点部と揺動部材とが導通とする」という同一の現象を介して検出可能である。従って、請求項１の発明によると、「振動」と「磁気」を検出するための別々の「不正対策構造（不正対策用装置）」を用いる必要がない。
【００２０】
また、請求項１の発明では、「振動」及び「磁気」の検出が「同一の物理量（電気的な物理量）」の変化（ＯＮ・ＯＦＦ）を検出することを介して行われるため、「振動」の検出によって得られる情報を処理するための手段と、「磁気」の検出によって得られる情報を処理するための手段とを別個に備えること等が必要とされない。従って、請求項１の発明の不正対策構造によると、空きスペースを徒に狭めたり、製造コスト高を招くことなく、代表的な不正行為（「ドツキ」及び「磁石ゴト」）を的確に防止できる遊技機を得ることができる。
【００２１】
各請求項の発明の「第一導電性磁性体部」及び「第二導電性磁性体部」とは導電性磁性体からなる部分の意味である。この「第一導電性磁性体部」及び「第二導電性磁性体部」を構成する導電性磁性体は導電性を有する磁性体であり、例えば、鉄、コバルト、ニッケル及びこれらの化合物を用いて構成される板状体、棒状体、塊状体等を例示できる。尚、「第一導電性磁性体部」を構成する導電性磁性体と、「第二導電性磁性体部」を構成する導電性磁性体は同一の素材（例えば、両者とも「鉄」）で構成されてもよいし、別素材（例えば、一方が「鉄」で他方が「ニッケル」）で構成されてもよい。
【００２２】
各請求項の発明の「一対の第一導電性磁性体部」は間隔を開けて対面する状態に配置される一対の導電性磁性体部、つまり、間隔を開けて配置される別体の導電性磁性体であってもよい。また、この「一対の第一導電性磁性体部」は一材の導電性磁性体を用いて構成されるものであってもよい。例えば、導電性磁性体を用いて構成される単一の板状体を略「山形状」、略「Ｕ字状」、略「逆Ｕ字状」、略「Ｖ字状」若しくは略「逆Ｖ字状」等に屈曲すると共に、この屈曲状とされる板状体のうちで対面し合う所定の部分を用いて「一対の第一導電性磁性体部」を構成してもよい。
【００２３】
揺動部材としては、例えば、略板状体若しくは略棒状体とされつつ上端部側若しくは中間部の支点を中心に振り子運動可能に配設されるものを例示できる。この揺動部材は、常時（つまり、不正行為が行われていない通常時）、一対の固定接点部ばかりか、「一対の第一導電性磁性体部全体」と非接触な状態とされる。即ち、「外力（振動力及び磁力）」が負荷されていない通常時に、揺動部材は「一対の第一導電性磁性体部」と非接触な状態とされる。一方、揺動部材に所定の大きさの「外力（振動力若しくは磁力）」が負荷されると、この揺動部材は支点を中心とした振り子運動を行い、何れか一方の固定接点部に接触し、この固定接点部と揺動部材とが導通状態になる。但し、揺動部材としては、略板状体若しくは略棒状体とされつつ下端部側の支点を中心に揺動運動可能に配設されるものを例示することもできる（以下、「後者の態様」という。）。
【００２４】
ここで、各請求項の発明の揺動部材は下端部（後者の態様では上端部）が拘束されない状態とされるため、外力（振動力及び磁力）によって感度良く反応して揺動することができる。つまり、揺動部材は、例えば、「上端部及び下端部を拘束されるもの」や、「上端部及び下端部を拘束されつつ部材の可撓性を頼りに固定接点部に当接しようとするもの」ではないため、外力（振動力及び磁力）によって感度良く反応して揺動し、固定接点部に当接する。
【００２５】
各請求項の発明においては、一対の固定接点部と揺動部材の配設態様を種々例示でき、例えば、（ａ）一対の固定接点部を前後に対向する状態に配置し、揺動部材を前後に揺動可能とする配設態様や、（ｂ）一対の固定接点部を左右に対向する状態に配置し、揺動部材を左右に揺動可能とする配設態様、（ｃ）一対の固定接点部を斜め前後に対向する状態に配置し、揺動部材を斜め前後に揺動可能とする配設態様等を例示できる。
【００２６】
各請求項の発明の「不正検出手段」としては、「電圧や電流の変化に基づいて固定接点部と揺動部材とが導通状態であるか否かを判断することを通じて不正行為の発生を検出するもの」等を例示できる。尚、本出願書類において特に断らない場合、「前」及び「表」は、「遊技機を基準とする前方（つまり、遊技者に近接する方向）」を示し、「後」及び「裏」は、遊技機を基準とする後方（つまり、遊技者から離間する方向）」を示す。また、「左」とは、遊技者から見て「左」であることを示し、「右」とは「遊技者から見て右」であることを示す。更に、本体枠、表扉部材（前面枠）、上皿部材、下皿部材等の扉状部材の「左」、「右」、「前」、「後」等は、これらの扉状部材が使用状態にある場合、つまり、閉鎖された状態にある場合を基準としたものである。
【００２７】
請求項２の発明の不正対策構造は、請求項１に記載の不正対策構造において、
前記揺動部材に永久磁石を配設したことを特徴とする。
【００２８】
請求項２の発明の不正対策構造によると、不正行為の検出をより高精度に行うことができる。つまり、遊技機の前面部に磁石（以下、「不正磁石」という。）が近づけられた場合に揺動部材には、不正磁石からの引力若しくは斥力が加わるため、揺動部材は固定接点部に当接し易くなる。例えば、一対の固定接点部を前後に対向する状態に配置し、揺動部材を前後に揺動可能とする配設態様を採用する場合において、揺動部材に配設される永久磁石（以下、「揺動磁石」という。）の一方の磁極（Ｎ極及びＳ極のうちの一方）が前方に向けられ、他方の磁極が（Ｎ極及びＳ極のうちの他方）」が後方に向けられるものとする。
【００２９】
この場合、「遊技機の前面部に近づけられる不正磁石の磁極」と「揺動磁石の前方を向いた磁極」とが異種の磁極であれば不正磁石から揺動部材に引力が加わり、同種の磁極であれば不正磁石から揺動部材に斥力が加わる。このため、請求項２の発明の不正対策構造によると、揺動部材が不正磁石に対してより高感度に反応するため、不正行為の検出をより高精度に行うことができる。
【００３０】
また、請求項２の発明の不正対策構造において遊技機に振動（振動力）が負荷された場合、揺動する揺動部材は、「揺動磁石」の磁力を用いて固定接点部に吸着（当接）し易くなる。このため、請求項２の発明の不正対策構造によると、揺動部材が振動に対してもより高感度に反応するため、不正行為の検出をより高精度に行うことができる。そして、請求項２の発明は不正磁石から負荷される磁力が小さい場合や、遊技機に負荷される振動が小さい場合（特に、巧みな不正行為者が負荷する小刻みで小さな振動）にも、揺動部材を高感度に反応させ、不正行為の検出を行うことができる点で大きな意義を有している。
【００３１】
ここで、請求項２の発明では、一対の固定接点部を所定の一の方向（前後方向、左右方向、斜め前後方向等）に対向する状態に配置し、揺動部材を一の方向に揺動可能とする配設態様を採用する場合において、永久磁石の「一方の極（Ｎ極及びＳ極のうちの一方）」を一方の固定接点部と対向する状態に配置し、永久磁石の「他方の極（Ｎ極及びＳ極のうちの他方）」を他方の固定接点部と対向する状態に配置することが好適である。尚、揺動部材において揺動磁石の配設部位は、揺動部材の揺動支点を避けた位置から選択される。例えば、揺動部材の上端部側に揺動支点を設ける場合、この揺動支点よりも下方側に配設され、揺動部材の下端部側に揺動支点を設ける場合、この揺動支点よりも上方側に配設される。
【００３２】
請求項３の発明の不正対策構造は、請求項１又は２に記載の不正対策構造において、
前記揺動部材は、前記一対の固定接点部のうちの一方に向かって突出する突片部と、前記一対の固定接点部のうちの他方に向かって突出する突片部とのうちの少なくとも一方を備えることを特徴とする。
【００３３】
請求項３の発明の不正対策構造では突片部を備える分だけ、揺動部材と固定接点部との距離が短くされるため、「振動」及び「磁力」をより高精度に検出することができる。
【００３４】
請求項４の発明の遊技機は、請求項１〜請求項３の何れか一項に記載の不正対策構造を設けたことを特徴とする。
【００３５】
請求項４の発明の遊技機（弾球遊技機）は、請求項１〜請求項３の何れか一項に記載の不正対策構造を備えるため、空きスペースを徒に狭めたり、製造コストを徒に高くすることなく、代表的な不正行為（「ドツキ」及び「磁石ゴト」）を効率的に防止できる。
【００３６】
ここで、遊技機（弾球遊技機）は、（１）所定の設置部位に設置される外枠と、（２）遊技盤を保持しつつ外枠の左端側に開閉可能な状態に取り付けられる本体枠（中枠）と、（３）遊技盤の前面部を覆うガラス板を具備しつつ本体枠の左端側に開閉可能な状態に取り付けられるガラス扉枠（前面枠）と、（４）本体枠の前面部においてガラス扉枠の装着位置よりも下方側の部位に開閉可能な状態で装着される上皿部材と、（５）本体枠の前面部において上皿部材の装着位置よりも下方側の部位に配置される下皿部材等を備えている。
【００３７】
また、遊技盤の前面部には、（Ａ）長尺な帯状板（一般には、金属製）を、開口部を下方若しくは側方に向けた略円弧形状（Ｃの字状）としつつ配置して構成される外側レールと、（Ｂ）外側レールの配置箇所の内側において、長尺な帯状板（一般には、金属製）を、開口部を上方に向けた略円弧形状（Ｃの字状）としつつ配置して構成される内側レールとが配設されている。そして、遊技盤の前面部側において、外側レールと内側レールとが略円形状、略楕円形状、若しくは略長円形状に取り囲む部位が遊技領域と称されると共に、この遊技領域内において最下部にアウト口が設けられ、この最下部よりも上方の位置に各種の入球装置や入球ゲート等の盤部品が配設されている。
【００３８】
かかる構造を備える遊技機においては、不正対策構造の設置態様を種々選択できる。つまり、（ａ）遊技盤に設置する態様、（ｂ）遊技盤に装着される盤部品に設置する態様、（ｃ）本体枠（中枠）に設置する態様、（ｄ）ガラス扉枠（前面枠）に設置する態様、（ｅ）上皿部材に設置する態様、（ｆ）下皿部材に設置する態様等を例示できる。特に、（ａ）遊技球が転動する遊技盤に設置する態様、（ｂ）この遊技盤に固定される盤部品に設置する態様を選択することが有効である。また、不正行為者が直接手を触れることができる部材（ガラス扉枠、上皿部材、下皿部材）に設置する態様を選択することも有効である。但し、不正対策構造を構成する各部材が、遊技機を構成する異なる部材に設置されてもよい。例えば、一対の固定接点部を前後に対向する状態に配置し、揺動部材を前後に揺動可能に配設する場合において、前方の固定接点部をガラス扉枠の後面部に装着し、後方の固定接点部を遊技盤の前面部に装着すると共に、揺動部材を所定の盤部品から垂下する状態に装着してもよい。
【００３９】
請求項４の発明の遊技機は、前述の「純粋振分タイプの遊技機」と、前述の「純粋セブン機タイプの遊技機」と、前述の「融合タイプの遊技機」とに分類できる。
【００４０】
ここで、「純粋振分タイプの遊技機が羽根物」である場合（以下、「純粋羽根物」という。）、遊技領域内に、（ａ）特定入賞装置と、（ｂ）開閉動作始動入球装置と、を備える。この特定入賞装置は、（ａ１）遊技領域を転動する遊技球が入球可能な入球口と、（ａ２）「入球口から入球した遊技球が到達する領域部」を、第１の領域部と、この第１の領域部よりも遊技者にとって有利な第２の領域部とのうちの一方に振り分ける振分装置と、（ａ３）入球口の開閉を行うための開閉部材とを備えている。尚、第１の領域部としては「通常領域部」を例示できるが、「第２の領域部」としては「特別領域部」若しくは「第２の振分装置」を例示できる。尚、「第２の振分装置」としては、前述の振分装置を通過して到達する遊技球（所謂、「ノーマルルート」を経た遊技球）と、前述の振分装置を通過せずに到達する遊技球（所謂、「スペシャルルート」を経た遊技球）とを受け入れると共に、この受け入れた遊技球が到達する領域部を、「通常領域部」と「特別領域部」とのうちの一方に振り分けるものを例示できる。
【００４１】
この「純粋羽根物」では、開閉部材が開閉動作を行っていないときに（つまり、入球口の閉鎖した状態にあるときに）、「開閉動作始動入球装置」に遊技球が入球すると、開閉部材が通常開閉動作（０．３秒間、若しくは、０．４秒間等の短時間に行われる開閉動作の意味で用いる。）を実行し、この通常開閉動作の実行中に、遊技球が、前述の「特別領域部」を通過すると、特別遊技移行手段は、遊技機の遊技状態を特別遊技状態に移行させる。
【００４２】
この特別遊技（状態）においては、開閉部材が一定間隔で特別開閉動作（特別遊技中の開放動作を意味し、例えば、開閉部材が０．８秒間等の長時間、開放状態に移行し、その後、開閉部材が０．８秒間、閉鎖状態を維持する動作を１回の特別開閉動作とする。）を繰り返し、設定の繰り返し回数（例えば、１８回）まで、開閉部材が特別開閉動作を実行するか、設定個数（例えば、１０個）以上の入球（入球装置への入球）があるか、若しくは、遊技球が特別領域部を通過すると、１つのラウンドに係るラウンド賞球遊技が終了する。このラウンド賞球遊技の間に、少なくとも１球の遊技球が、前述の特別領域部を通過すれば、特別遊技の継続条件が成立し、同様なラウンド賞球遊技が再度、実行される。そして、特別遊技の終了条件が成立するまでの間、ラウンド賞球遊技が繰り返し実行される。ここで、特別遊技の実行許容条件は、終了したラウンド賞球遊技の回数（ラウンド数）が上限回数（例えば、１５ラウンド）となるか、終了したラウンド賞球遊技の実行中に継続条件が成立しなかった場合に不成立となる。
【００４３】
また、開閉部材としては「開閉羽根」方式の開閉部材等を例示できるが、この開閉部材は、その下端部側が軸支されると共に、上端部を略鉛直上方に向ける起立姿勢と、上端部を斜め上方に向ける傾動姿勢との間で姿勢変更可能とされている。この開閉部材は、通常「起立姿勢」とされているが、開放動作実行条件が成立すると、所定の動作パターンに従って一定時間（０．３秒若しくは０．４間等の短時間）傾動姿勢となる。この開閉部材が起立姿勢とされると、特定入賞装置内への遊技球の入球が不可能となるように入球口が閉鎖される。一方、開閉部材が傾動姿勢とされると、特定入賞装置内への入球が可能となるように入球口が開放されると共に、開閉部材の誘導面（開閉部材において、起立姿勢のときに入球口と対向する側面部）が入球口と離間する方向に向かって上がり傾斜となる。
【００４４】
尚、この「羽根物型の遊技機」を構成する「開閉部材」の駆動態様としては、前述の「開閉羽根」方式の開閉部材の他に、「並進方式」の開閉部材を例示することもできる。この「並進方式」の開閉部材としては、入球口の中心部（左右方向に沿った中心部）を基準に左右一対で配設され、横方向に沿って相互に離間するように並進することで入球口を開放し、横方向に沿って相互に近接若しくは接触するように並進することで入球口を閉鎖するものを例示できる。また、「開放動作を行う開閉部材の動作パターン」としては、（ａ）単発的な開放動作（１回の開放動作）のみを行う動作パターンや、（ｂ）複数回の開放動作を行う動作パターンを例示できる。
【００４５】
この「純粋羽根物」においては、特定入賞装置、開閉部材、開閉動作始動入球装置等の背後、前方、近傍（例えば、１０ｃｍ以内の距離の範囲）等に請求項１〜請求項３の何れか一項に記載の不正対策構造を設けることが好適である。特に、特定入賞装置に装着する場合は、振分装置（第２の振分装置を備える場合は第２の振分装置も）やその近傍（例えば、１０ｃｍ以内の距離の範囲）に装着することが望ましい。
【００４６】
また、「純粋セブン機タイプの遊技機」は、遊技領域内に始動入賞装置と大入賞装置とその他の入賞装置とを配設している。この遊技機においては、遊技球が始動入賞装置に入賞することに起因して当否判定が行われる。この当否判定が大当りである場合、遊技機の遊技状態が「通常遊技状態」から「大当り遊技状態（特別遊技状態）」に移行する。そして、「閉鎖状態であった大入賞装置が開放状態となり、再び、閉鎖状態に戻ることを内容とする開閉動作」が、所定の回数（所謂「ラウンド数」）だけ繰り返される。
【００４７】
この「純粋セブン機タイプの遊技機」においては、各種の入賞装置（始動入賞装置、大入賞装置、その他の入賞装置）の背後、前方、近傍（例えば、１０ｃｍ以内の距離の範囲）に、請求項１〜請求項３の何れか一項に記載の不正対策構造を設けることが好適である。
【００４８】
「融合タイプの遊技機」としては、例えば、（ａ）特定入賞装置と、（ｂ）始動入賞装置と、（ｃ）遊技機の遊技状態を通常遊技状態から大当り遊技状態（つまり、特別遊技状態）に移行させるか否かの判定（以下、「大当り判定」という。）及び遊技機の遊技状態を通常遊技状態から小当り遊技状態（開閉部材に所定の態様で開閉動作を実行させる状態）に移行させるか否かの判定（以下、「小当り判定」という。）を行う判定手段と、（ｄ）この判定の結果を示す判定結果図柄の確定表示等を行う図柄表示手段（例えば、ＬＥＤランプや、液晶表示装置等によって構成）と、（ｅ）大入賞装置と、（ｆ）大当り遊技（つまり、特別遊技）の実行許容条件の成立中に、遊技機の遊技状態を特別遊技状態に移行させる特別遊技移行手段と、を備える遊技機を例示できる。尚、「融合タイプの遊技機」に関する以下の説明においては、「大当り判定」及び「小当り判定」をまとめて、「当否判定」と称することがある。また、「融合タイプの遊技機」の特定入賞装置は、前述の「純粋羽根物」の「特定入賞装置」と同様な構成を備える。
【００４９】
この「融合タイプの遊技機」では、「遊技領域に配設される始動入賞装置」へ遊技球が入賞（以下、「始動入賞」という。）」したことが検出されることを前提として、「当否判定」の実行条件が成立する。この「当否判定」の実行条件が成立し、更に、この「判定の結果を示す図柄（判定結果図柄）」の表示実行条件が成立すると、図柄表示手段において、先ず、演出表示が実行される。この演出表示は、例えば、ＬＥＤランプを駆動（点滅、点灯等）させたり、液晶表示装置等で、「複数の識別図柄（つまり、特別図柄）を順次、循環表示させて行われる（つまり、変動表示が行われる）。そして、この演出表示を所定の変動時間行った後に、図柄表示手段において、判定結果図柄が確定表示（停止表示）される。
【００５０】
そして、「判定結果図柄が大当り図柄（判定結果が大当りであったことを示す図柄）である場合」と、「所定の条件の成立時（既に、大当り遊技の開始条件が成立していない時）において前述の特別領域部を遊技球が通過した場合」とに、特別遊技移行手段は、大当り遊技（特別遊技）の実行許容条件の成立中、当該遊技機の遊技状態を特別遊技状態に移行させる。そして、遊技機の遊技状態が「大当り遊技状態（特別遊技状態）」に移行すると、大入賞装置を構成する開閉部材（以下、「開閉扉」に、所定の回数（所謂、「ラウンド数」であって、例えば、１４〜１６回）に渡って「単位動作」が施される。
【００５１】
ところで、「融合タイプの遊技機」の中には、特定入賞装置とは別に、大入賞装置（大当り中に使用する入賞装置）を備えるもの（以下、「独立タイプ」という。）と、特定入賞装置が大入賞装置を兼用するもの（以下、「兼用タイプ」という。）とが存在する。そして、独立タイプの場合、遊技機の遊技状態が「大当り遊技状態（特別遊技状態）」に移行すると、大入賞装置の開閉扉の開放動作を行って、閉鎖状態にある大入賞装置を開放状態に変化させ（アタッカータイプの場合）、これにより、大入賞口への遊技球の入賞が可能となる。若しくは、一対の翼片部の上端部間の間隔が拡大させ（チューリップタイプの場合）、これにより、大入賞口への遊技球の入賞が容易となる。また、兼用タイプの場合は、開閉部材の状態が開放状態に維持され、これにより、大入賞口への遊技球の入賞が可能となる。尚、「融合タイプの遊技機」において、「通常遊技状態」とは、大入賞口の開放許容条件を継続的に不成立とし、「大入賞口の閉鎖状態を継続する遊技状態」を指す。また、セブン機において、「大当り遊技状態」とは、大入賞口の開放許容条件を、所定回数に渡って間欠的に成立させ、「大入賞口の開放状態を、間欠的に実現させる遊技状態」を指す。
【００５２】
大入賞装置が何れのタイプ（独立タイプ、兼用タイプ）であっても、大入賞装置を開放状態に変化させた後、この大入賞装置（大入賞口）に所定個数の遊技球が入賞するか、所定時間が経過することにより、一旦、閉鎖動作を行い、大入賞装置を閉鎖状態とし、「１回の単位動作（所謂、１つのラウンド）」を完了する。即ち、アタッカータイプにあっては開閉扉の閉鎖動作を行い、チューリップタイプにあっては一対の翼片部の上端部間の間隔を縮小する動作を行い、兼用タイプにあっては入球口を閉鎖する動作を行う。これにより、大入賞装置を閉鎖状態とし、「１回の単位動作（所謂、１つのラウンド）」を完了する。つまり、大入賞装置を閉鎖状態から開放状態とし、再び、閉鎖状態に戻す、単位動作を完了する。そして、この「単位動作」が、所定の回数（所謂、「ラウンド数」）だけ繰り返されると、この遊技機の遊技状態は「大当り遊技状態」から「通常遊技状態」に戻される。
【００５３】
「融合タイプの遊技機」の「判定実行条件」は、例えば、遊技領域に配設された「始動入賞装置」への遊技球の入賞（つまり、始動入賞）が、検出されることを前提に成立する。尚、この検出は、通常、「始動入賞装置」に設けられた「判定始動検出手段（判定始動検出スイッチ）」によって行われる。また、「表示実行条件」は、始動入賞を生ずることを前提に、判定結果図柄の表示時期が到来すると成立する。この「表示実行条件」は、当該遊技機において生じ得る全ての始動入賞に対応して成立させてもよいが、通常、所定の制限の下で成立する。即ち、保留数に上限数がある場合には、当該保留数が当該上限数に達した状態にて、始動入賞を生じても、「表示実行条件」を不成立とする（つまり、当該始動入賞を無視する。）。
【００５４】
即ち、（１）「図柄表示手段」が、先行する他の始動入賞に起因する「各種の表示」を実行中でなく、しかも、先行する他の始動入賞に関する始動記憶が存在しない状態で、始動入賞を新たに生じたケースでは、そのまま、当該「新たに生じた始動入賞」に係る「表示実行条件」が成立する。ところが、（２）先行する他の始動入賞に起因する「各種の表示」を実行中か、先行する他の始動入賞に関する始動記憶が存在する状態で、始動入賞を新たに生じたケースでは、当該始動入賞時における保留数が、上限数に達していない場合に限り、当該「新たに生じた始動入賞」に関するデータ（判定結果に関するデータ等）を保留記憶（保留データ）として取り扱う。そして、当該「保留記憶」に先行する他の保留記憶に基づく、「各種の表示」を完了し、当該「保留記憶」に基づく、「各種の表示」の実行時期が到来したときに、当該「保留記憶」に関し、「表示実行条件」が成立する。ここで、始動入賞（始動記憶）に起因する「各種の表示」とは、当該「始動入賞」に伴って行われた判定結果に関連する表示であって、「演出表示（例えば、変動表示）」や当該「他の始動入賞に起因する判定結果図柄の確定表示」等を指す。
【００５５】
この「融合タイプの遊技機」においては「ドツキ」及び「磁石ゴト」の双方の対象となる可能性が高いため、請求項４の発明の意義は大きなものとされる。この「融合タイプの遊技機」においても、特定入賞装置、開閉部材、始動入賞装置等の背後、前方、近傍（例えば、１０ｃｍ以内の距離の範囲）等に請求項１〜請求項３の何れか一項に記載の不正対策構造を設けることが好適である。特に、特定入賞装置に装着する場合は、振分装置（第２の振分装置を備える場合は第２の振分装置も）やその近傍（例えば、１０ｃｍ以内の距離の範囲）に装着することが望ましい。
【００５６】
純粋振分タイプの遊技機が権利物である場合は、例えば、以下のような構成を備えることになる。つまり、特定入賞装置と、この特定入賞装置とは別の入球装置（以下、「権利物用大入賞装置」という。）とを備えると共に、特定入賞装置を権利獲得用の入賞装置として用いる遊技機を例示できる。また、ここで例示する権利物を構成する特定入賞装置も、遊技領域を転動する遊技球が入球可能な入球口と、この入球口から入球した遊技球が到達する領域部を、通常領域部と、特別領域部とのうちの一方に振り分ける振分装置と、入球口の開閉を行うための開閉部材とを備えている。
【００５７】
この権利物においては、特定条件を充足すると、権利獲得用の入賞装置の開閉部材の状態が、入球口を閉鎖する閉鎖状態から、入球口を開放する開放状態に変化する。そして、開閉部材の状態が開放状態にある間に、権利獲得用の入賞装置内の特別領域部に所定数（例えば、１球）の遊技球を通過させることによって、「権利（遊技価値権利）」が獲得される。この権利により、「権利物用大入賞装置」が、開閉を繰り返す大当り遊技状態（特別遊技状態）が発生する。
【００５８】
この権利物においても、振分装置（第２の振分装置を備える場合は、第２の振分装置）、開閉部材等の背後、前方、近傍（例えば、１０ｃｍ以内の距離の範囲）に、請求項１〜請求項３の何れか一項に記載の不正対策構造を設けることが好適である。
【００５９】
純粋振分タイプの遊技機がアレンジボール機（組合せ式遊技機）である場合、例えば、以下のような構成を備えることになる。つまり、遊技盤に、（ａ）特定入賞装置と、（ｂ）遊技球が入球可能な複数の入球領域を備える入球領域群と、（ｃ）個々の入球領域への遊技球の入球に応じた入賞情報を表示する入賞情報表示手段と、（ｄ）所定の識別図柄の変動表示と停止表示とを実行可能な可変表示装置（図柄表示手段）と、を備える遊技機を例示できる。また、ここで例示するアレンジボール機を構成する特定入賞装置も、遊技領域を転動する遊技球が入球可能な入球口と、この入球口から入球した遊技球の到達する領域部を、通常領域部と、特別領域部とのうちの一方に振り分ける振分装置と、入球口の開閉を行うための開閉部材とを備えている。
【００６０】
この遊技機では、規定数（例えば、１５個又は１６個）の遊技球を発射して一単位遊技を行い、この一単位遊技で該入賞情報表示手段に表示された入賞情報の組合せから賞態様を決定して、該賞態様に応じて定められた賞遊技価値を遊技者に付与する。つまり、このアレンジボール機では、発射された遊技球が、入球領域群を構成する個々の入球領域へ入球すると、個々の入球領域と対応する入賞図柄が、入賞情報表示手段に点灯表示するように構成される。そして、規定数の遊技球を発射すると、入球した入球領域の組合せに応じた「入賞図柄の組合せ」が表示される。そして、「表示された入賞図柄の組合せ」が、予め定められた図柄の組合せである場合には得点が付与され、この得点に応じた賞球が遊技者に払い出される。
【００６１】
このようなアレンジボール機の中には、複数の識別図柄を変動停止表示する可変表示装置を備え、その可変表示装置に停止表示された識別図柄が予め定められた特定の図柄となった場合に、得点を容易に得ることが可能なように構成されたものもある。そして、可変表示装置で停止表示された識別図柄が特定の図柄である場合、特定入賞装置を構成する開閉部材の状態を、入球口を閉鎖する閉鎖状態から、入球口を開放する開放状態に変化させ、特定入賞装置に遊技球が入球した場合、若しくは、入球せずに所定回数の単位遊技を終了した場合、開閉部材の状態が閉鎖状態に戻される。そして、特定入賞装置に入球した遊技球が、特別領域部を通過すると、特別遊技移行手段（つまり、大当り遊技移行手段）は、遊技機の遊技状態を大当り遊技状態（特別遊技状態）とする（大当り遊技状態に制御する。）。即ち、特別遊技の実行許容条件の成立中において、遊技機の遊技状態を通常遊技状態から特別遊技状態に移行させる。
【００６２】
尚、アレンジボール機においては、入球領域群を構成する各入球領域が、遊技球の入球の難易に応じて、「普通入球領域」と「難入球領域」とに区別される。つまり、入球領域群の上方には、多数の障害釘が配置され、これらにより、遊技球の直接の入球が相対的に容易とされる「普通入球領域」と、遊技球の直接の入球が相対的に困難とされる「難入球領域」とに区別される。そして、遊技機の遊技状態が特別遊技状態となると、例えば、所定条件下で、役物作動口を開放させ、開口した役物作動口に遊技球を入球させると、「難入球領域」に対応する入賞図柄を含んだ複数の入賞図柄が連続点灯表示され、得点の成立が容易にさせるよう設定している。
【００６３】
このアレンジボール機においても、振分装置（第２の振分装置を備える場合は、第２の振分装置）、開閉部材、入球領域群等の背後、前方、近傍（例えば、１０ｃｍ以内の距離の範囲）に、請求項１〜請求項３の何れか一項に記載の不正対策構造を設けることが好適である。特に、アレンジボール機において入球領域群への不正入賞を狙う「磁石ゴト」を防止するために、入球領域群の近傍（例えば、１０ｃｍ以内の距離の範囲）に、請求項１〜請求項３の何れか一項に記載の不正対策構造を設けることが望ましい。
【００６４】
尚、各請求項の発明の適用される遊技機、かかる遊技機が設置されるパチンコホールの管理用のコンピュータ、若しくは、かかる遊技機が設置される島設備のコンピュータにおいては、不正検出手段が不正発生を検出したときに、警報信号を発信する警報信号発信手段を備えてもよい。そして、この警報信号が発信されると、遊技機、パチンコホールのホールコンピュータ若しくは島設備のコンピュータうちの少なくとも何れかに設けられる警報手段（照明、音、液晶表示装置の表示画面等を用いて不正行為が発生した旨の警報を発する手段）や不正行為記録手段（不正行為を記録するカメラや、パチンコホールの監視カメラのレンズを、当該遊技機に向ける手段）を作動させることとしてもよい。
【発明の効果】
【００６５】
以上記述したように、各請求項の発明によると、空きスペースを徒に狭めたり、製造コストを徒に高くすることなく、代表的な不正行為（「ドツキ」及び「磁石ゴト」）を効率的に防止できる遊技機を得ることができる。
【発明を実施するための最良の形態】
【００６６】
以下、発明を実施するための最良の形態を示す実施例について図面に基づいて説明する。以下に示す各実施例では、各請求項の発明を「融合タイプの遊技機」に適用した具体例を中心に説明する。
【００６７】
Ａ．実施例１
【００６８】
実施例１では各請求項の発明の不正対策構造を盤部品を中心に設けた具体例について説明する。
【００６９】
（１）機械的な構造
ａ．遊技機の前面側の全体構造
先ず、この遊技機１の全体構造について、図１〜図５を参照して説明する。この遊技機１は、図１及び図２に示すように、外枠２と、この外枠２に装着された遊技機本体Ｈと、を備えている。
【００７０】
このうち、外枠２は、図３及び４に示すように、パチンコホールの島設備Ｓに設けられた設置部位Ｓ１に固定されると共に、遊技機本体Ｈを支持するためのものである。この外枠２は、図１及び２に示すように、略矩形状の枠状体によって構成される外枠本体２１と、外枠本体２１の前面下部を覆う前板部２２と、を備えている。このうち、外枠本体２１は、上下に一対の水平板２１ａと、左右に一対の立設板２１ｂと、を備えている。そして、両水平板２１ａは、上下に所定の間隔をおいて立設配置されると共に、左右方向に長尺とされている。また、両立設板２１ｂは、左右に所定の間隔をおいて立設配置されると共に、上下方向に長尺とされている。 
【００７１】
遊技機本体Ｈは、図１に示すように、外枠２の左端側上下のヒンジＨ１、Ｈ２を用いて、外枠２の左端側に回動自在に組み付けてられている。この遊技機本体Ｈは、遊技機１のうちで外枠２を除く部分であって、本体枠３と、ガラス扉枠（前面枠）４と、上皿部材５と、下皿部材６と、遊技盤１０（図５を参照）と、裏機構盤１０２（図２６を参照）等を主要部としている。尚、本実施例では、後述するように、「検出装置本体１００（不正対策装置の主要部を構成する部分である。）」の装着対象として中央装置２０を例示するが、遊技機本体Ｈから選択される他の箇所に検出装置本体１００を配設することができる。また、固定接点部及び揺動部材のうちの一方を外枠２に配設し、他方を遊技機本体Ｈに配設することもできる。
【００７２】
本体枠３は、全体がプラスチック製であり、図３に示すように、外枠２の内側に嵌めこまれ、外枠２に対して開閉可能に軸支されている。つまり、本体枠３の左端側の上下が、外枠２に対して軸支され、外枠２に対して開閉可能とされている。また、本体枠３のうちで上方側及び中間側の部位には、図４に示すように、この部位を前後を貫通する状態に窓部３Ｍが設けられている。そして、本体枠３の後面部のうちで、この窓部３Ｍを取り囲む部位からは、遊技盤１０が挿入される保持用突出部３３ｇが突出している。この保持用突出部３３ｇは、本体枠３の後方に突出しつつ略矩形型の枠形状に構成され、遊技盤１０に厚みに相当する奥行き（前後幅）を有している。
【００７３】
この保持用突出部３３ｇはその後方から遊技盤１０（図５参照）を受け入れて保持する（図４参照）。この保持用突出部３３ｇに保持される遊技盤１０はその前面部（つまり、表面部）１０ａが前方に向けられる。そして、この前面部１０ａの主要の部位（遊技領域１１を形成する部位を含む主要な部位）が窓部３Ｍを通じて本体枠３の前方から視認可能とされている。
【００７４】
図４に示すように、本体枠３の右端側の後面部であって保持用突出部３３ｇの右側方に位置する部位に施錠装置７が装着されている（図１を参照）。この施錠装置７は上下に長尺状とされており、その前面部を本体枠３の後面部に当接させた状態で本体枠３に装着されている。この施錠装置７の前面部では上端部側と中間部とにおいて係合部７Ｋ、７Ｋを前方に突出させている。
【００７５】
ガラス扉枠４は、図４に示すように、本体枠３の前面部側において開閉動作可能な状態に配置されている。つまり、ガラス扉枠（表扉枠）４の左端部の上下が、上下一対のヒンジｈ、ｈを介して本体枠３の左端部に支持されている（図１を参照）。このガラス扉枠４はその後面部を本体枠３の前面部に近接させて本体枠３に対して閉鎖された状態となる。このガラス扉枠４は扉枠本体４１と、ガラス板４３と、ガラス板４３を扉枠本体４１に保持させる（取り付ける）ための保持部材（図示を省略）とを備えている。尚、保持部材を扉枠本体４１に対して一体的に設けることもできる。
【００７６】
扉枠本体４１は、レンズ状のプラスチックを主体に構成され、図４に示すように、円形状の開口部４１ａを有している。この開口部４１ａは、扉枠本体４１の前面部及び後面部を貫通する状態に設けられている。そして、ガラス扉枠４を閉じた状態としたときに、ガラス扉枠４の奥側（背後）に配置される遊技盤１０の盤面（遊技領域１１）を前方（遊技者の側）から視認可能とするためのものである。つまり、この開口部４１ａは遊技盤１０に形成された遊技領域１１（図５参照）の形状に対応して、略円周状に開設されている。また、ガラス板４３は、開口部４１ａにおいて、その後端側に位置する部位に、はめこまれている。このため、ガラス扉枠４の前方から、開口部４１ａを覗き込むと、ガラス板４３を透かして、ガラス扉枠４の後方を視認可能とされている。
【００７７】
尚、扉枠本体４１の後面部において開口部４１ａの右側方に位置する部位からは、２つの係合突起が突出している（図示を省略）。これらの係合突起は扉枠本体４１の後方に突出する状態に配設されている。また、これらの係合突起は略Ｌ字状の板状体を用いて構成され、突端部を扉枠本体の右側方に向けている。そして、「本体枠３に対して開放状態」にあるガラス扉枠４を、「本体枠３に対して閉鎖状態」にすると、前述の係合部７Ｋが係合突起に係合し、ガラス扉枠４は本体枠３に施錠される。また、ガラス扉枠４を解錠する場合、所定の鍵を用いて施錠装置７を操作し、係合部７Ｋの係合突起に対する係合を解除される。この状態で、ガラス扉枠４を手前に引くと、ガラス扉枠４を本体枠３に対して全開状態とすることができる。
【００７８】
図２に示すように、ガラス扉枠４において開口部４１ａの周縁の部位には、各種のＬＥＤ基板４ｂ、４ｃ、４ｄ、４ｅ、４ｆ、４ｇ、４ｈが内蔵されている。また、何れのＬＥＤ基板４ｂ〜４ｈも、プリント配線基板と、プリント配線基板に搭載された複数のＬＥＤランプとを備えている。そして、これらのＬＥＤ基板４ｂ〜４ｈを構成するＬＥＤランプは、目的（遊技効果を高める目的、賞球を報知する目的、当該遊技機１にエラーを生じたことを報知する目的）に応じて、点灯及び消灯したり、点滅する。尚、これらのＬＥＤ基板４ｂ〜４ｈを構成するＬＥＤランプは警報手段の具体例を構成する。
【００７９】
図１及び図２に示すように、ガラス扉枠４の上端部側の左右には、各々、スピーカＳＰ１、ＳＰ２（図２８参照）が内蔵されている。また、本遊技機１においては、前板部２２の左右両端にも、スピーカＳＰ３、ＳＰ４（図２８参照）が内蔵されている。このため、本遊技機１においては、前面部の４隅にスピーカＳＰ１〜ＳＰ４を配置することで、「４ウェイのスピーカシステム」を構成している。そして、本遊技機１においては、これらのスピーカＳＰ１〜ＳＰ４を用いて、遊技状態に応じた効果音その他の音（音声）を発生させる。尚、これらのスピーカＳＰ１〜ＳＰ４も警報手段の具体例を構成する。
【００８０】
遊技機本体Ｈの前面部のうちで、前面枠３の下方の部位が上皿部材５と下皿部材６とを備える構成とされている。つまり、上皿部材５は前面枠３の下方に配置され、下皿部材６は上皿部材５の下方に配置されている。また、上皿部材５は、遊技機１の内部の遊技球をこの上皿部材５に排出するための排出口５ｂ等を備えている。尚、上皿部材５の裏側には、球貸表示基板４１０（図２７参照）及び演出ボタン基板２２８（図２８参照）が設けられ、上皿部材５の上面部には「球貸操作部５ｃ」と、操作スイッチＳＷとが配置されている。また、上皿部材５の外郭部分も、レンズ状のプラスチックを主体として構成され、上皿部材５の内部にも、ＬＥＤ基板４ｉが内蔵されている（図２を参照）。
【００８１】
図１及び図２に示すように、下皿部材６の略中央には、遊技機１の内部から遊技球を排出するための排出口６ａが設けられている。また、下皿部材６の左端には灰皿６ｂが設けられ、下皿部材６の右端には発射ハンドル９が設けられている。また、下皿部材６の底面には球抜き孔（図示を省略）が設けられている。この球抜き孔は通常時に閉鎖されているが、下皿部材６に貯留された遊技球を遊技機１から排出する際に開放状態とされる。また、発射ハンドル９は発射装置ユニット（図示を省略）に接続されている。この発射ハンドル９には遊技者がハンドルに触れていることを検出するタッチスイッチ９ａが装着されており、その近傍には遊技球の発射を一時的に停止するための発射停止スイッチ９ｂが装着されている。また、前述の施錠装置７は、正面視すると鍵穴を備えた略長方形状を呈し、前面枠４を閉鎖した場合に施錠するためのものである。更に、遊技機１の左端側には、プリペイドカードユニットが設けられている（図示を省略）。
【００８２】
ｂ．遊技盤１０の構成
次に、遊技盤１０の構成について図５等を用いて説明する。この遊技盤１０は、図４及び図５に示すように、中枠３（図１を参照）に保持されるとともに、後述する裏機構盤１０２（図２６参照）によりその背面側が覆われている。また、遊技盤１０は平面形状が略矩形の合板（透明な樹脂板でもよい。）を用いて構成される盤本体１０Ｈと、この盤本体１０Ｈに取り付けられる複数個の盤部品（外側レール１２、内側レール１３等）とを備えている。
【００８３】
盤本体１０Ｈの前面部（表面部）には、図５に示すように、ともに帯状の金属板を用いて構成される外側レール１２と、内側レール１３とが配設されている。そして、盤本体１０Ｈ（遊技盤１０）の前面部（表面部）において、この外側レール１２及び内側レール１３が形成する略円形の周壁によって構成される部位が、遊技領域１１を構成している。
【００８４】
この盤本体１０Ｈ（遊技盤１０）の前面部（表面部）において遊技領域１１内に位置する部位には、中央装置２０と、２個の普通図柄作動ゲート（普通図柄作動口）１６Ａ、１６Ｂと、３つの始動入賞装置１７、１８、１９と、下部装置３０と、２個の一般入賞装置４０、４１と、多数の障害釘（図示を省略）と、風車４６等が配設されている。また、この中央装置２０には、保留図柄表示装置５０と、第１の表示装置６０と、第２の表示装置７０と、が一体化されている。
【００８５】
中央装置２０は「特定入賞装置」の具体例を示すものであり、図６等を用いて示されるように、ベース部材（化粧板）２１と、収納ボックス（図９及び図１０を参照）２２と、通過路選択装置２３と、第１の通過路形成部材２４Ａと、第２の通過路形成部材２４Ｂと、第１の誘導装置２５と、第２の誘導装置２６と、左右一対の開閉部材２７Ａ、２７Ｂとを備えている。
【００８６】
ベース部材２１は、図６に示すように、盤本体１０Ｈ（遊技盤１０）の前面部の略中央に装着される枠状体によって構成される。つまり、図９及び図１０に示すように、遊技盤１０の略中央部には、「中央取付孔１０ｄ」が設けられている。そして、ベース部材２１は、盤本体１０Ｈの前面部において、この中央取付孔１０ｄの周縁に位置する部位に装着されている。また、収納ボックス２２は、開口部２２ａを前方（遊技者の方向）に向け、前端部を中央取付孔１０ｄに挿通しつつベース部材２１の後方に突出する状態とされている。そして、ベース部材２１の内縁部は、収納ボックス２２の内部を視認可能とするための窓部２１ａを構成している。
【００８７】
図６及び図９に示すように、ベース部材２１の前面部には周壁部材２１ｂが前方に突出する状態に装着されている。この周壁部材２１ｂは窓部２１ａを略包囲する略枠形状とされており、本体壁部２１ｃと左側庇部２１ｄと右側庇部２１ｅと頂壁部２１ｆとを備えている。
【００８８】
図６に示すように、本体壁部２１ｃは、略Ｕ字状（正面視。）の経路を描きつつ、窓部２１ａの左右の左側縁部及び下縁部を包囲している。また、左側庇部２１ｄは左方向に下り傾斜状とされつつ、窓部２１ａの上縁部における左側の領域に配設され、右側庇部２１ｅは右方向に下り傾斜状とされつつ、窓部２１ａの上縁部における右側の領域に配設さている。但し、左側庇部２１ｄの右端部と右側庇部２１ｅの左端部とは所定幅（遊技球の直径の約３〜５倍の幅）の空間部（以下、「第１の空間部」という。）２１ｇを挟んだ対向している。
【００８９】
左側庇部２１ｄの左端部と、本体壁部２１ｃの左端部との間には、遊技球が進入可能な空間部（以下、「第２の空間部」という。）２１ｈが設けられ、右側庇部２１ｅの右端部と、本体壁部２１ｃの右端部との間にも、遊技球が進入可能な空間部（以下、「第３の空間部」という。）２１ｉが設けられている。尚、収納ボックス２２内には、（ａ）中央装置２０の左側方から取り入れた遊技球を、中央装置２０内で誘導させ、後述の始動入賞装置１７の上方に位置する部位で遊技領域１１に返還する「第１ワープ通路２８ａ」と、（ｂ）中央装置２０の右側方から取り入れた遊技球を、中央装置２０内で誘導させ、後述の始動入賞装置１７の上方に位置する部位で遊技領域１１に返還する「第２ワープ通路２８ｂ」と、が設けられている。そして、第２の空間部２１ｈは第１ワープ通路２８ａの入口部に接続され、第３の空間部２１ｉは第２ワープ通路２８ｂの入口部に接続されている。
【００９０】
図６に示すように、頂壁部２１ｆは、略逆Ｕ字状（正面視）の経路を描きつつ、第１の空間部２１ｇの上方に配置されている。この頂壁部２１ｆの左方側の下端部と、左側庇部２１ｄの右端部との間には、所定幅（遊技球の直径の約２〜４倍の幅）の空間部（以下、「第４の空間部」という。）２１ｋが設けられ、頂壁部２１ｆの右方側の下端部と、右側庇部２１ｅの左端部との間にも、所定幅（遊技球の直径の約２〜４倍の幅）の空間部（以下、「第５の空間部」という。）２１ｍが設けられている。この第４の空間部２１ｋと、第５の空間部２１ｍが、各々、入球口２９Ａ、２９Ｂの具体例を構成している。
【００９１】
図６に示すように、左側の開閉部材２７Ａは略羽根形の部材によって構成されると共に、その下端部側が第４の空間部２１ｋにおいてベース部材２１に軸支され、この第４の空間部２１ｋによって構成される入球口２９Ａの開閉を行う。つまり、この開閉部材２７Ａの下端部側の回動軸心を支点として回動可能とされ、「起立状態となりつつ入球口２９Ａを閉鎖する閉鎖姿勢」と、「左上がり傾斜状に傾斜して入球口２９Ａを開放する開放姿勢」との間で姿勢変更を行うことができる。そして、開閉部材２７Ａが閉鎖姿勢となると、入球口２９Ａが閉鎖され、遊技領域１１を流下する遊技球が入球口２９Ａを通じて中央装置２０内に進入することが不可能となる。一方、開閉部材２７Ａが開放姿勢となると、入球口２９Ａが開放され、入球口２９Ａを通じて中央装置２０内に進入することが可能となると共に、開閉部材２７Ａの右側面部が入球口２９Ａに向かって下り傾斜となり、入球口２９Ａに遊技球を誘導するため、誘導面を構成する。
【００９２】
右側の開閉部材２７Ｂは左側の開閉部材２７Ａと鏡面対称な略羽根形の部材によって構成されると共に、その下端部側が第５の空間部２１ｍにおいてベース部材２１に軸支され、この第５の空間部２１ｍによって構成される入球口２９Ｂの開閉を行う。つまり、この開閉部材２７Ｂの下端部側の回動軸心を支点として回動可能とされ、「起立状態となりつつ入球口２９Ｂを閉鎖する閉鎖姿勢」と「右上がり傾斜状に傾斜して入球口２９Ｂを開放する開放姿勢」との間で姿勢変更を行うことができる。そして、開閉部材２７Ｂが閉鎖姿勢となると、入球口２９Ｂが閉鎖され、遊技領域１１を流下する遊技球が入球口２９Ｂを通じて中央装置２０内に進入することが不可能となる。一方、開閉部材２７Ｂが開放姿勢となると、入球口２９Ｂが開放され、入球口２９Ｂを通じて中央装置２０内に進入することが可能となると共に開閉部材２７Ｂの左側面部が入球口２９Ａに向かって下り傾斜となり、入球口２９Ｂに遊技球を誘導するため、誘導面を構成する。
【００９３】
両開閉部材２７Ａ、２７Ｂは、所定のリンク機構（図示を省略）を介して、開閉ソレノイド２７ｃ（図２７を参照）に接続されている。そして、この開閉ソレノイド２７ｃを駆動することで、両開閉部材２７Ａ、２７Ｂが開閉動作を行う。例えば、開閉ソレノイド２７ｃを通電したときに、両開閉部材２７Ａ、２７Ｂは開放姿勢となり、開閉ソレノイド２７ｃへの通電を停止したときに、両開閉部材２７Ａ、２７Ｂは閉鎖姿勢とされる。尚、後述する主制御部２００Ａによって、「開閉ソレノイド２７ｃの動作を制御する開閉動作制御手段」が構成される。
【００９４】
通過路選択装置２３は、入球口２９Ｂを通じて中央装置２０内に進入した遊技球の通過する通過路を、「第１の通過路形成部材２４Ａによって構成される通過路（以下、「通常通過路」ということがある。）」と、「第２の通過路形成部材２４Ｂによって構成される通過路（以下、「特別通過路」ということがある。）」とのうちの一方に振り分けるための装置である。つまり、入球口２９Ｂを通じて中央装置２０内に進入した遊技球は、この通過路選択装置２３によって、第１の通過路形成部材２４Ａと、第２の通過路形成部材２４Ｂとのうちの何れか一方に誘導される。この通過路選択装置２３としては略シーソ状に動作する誘導板２３ａと、その駆動源を構成する誘導モータ２３ｄ（図２７を参照）と、両者の間に介在される伝達機構（リンク機構若しくはカム機構等）とを備えるものを例示できる。尚、後述する主制御部２００Ａによって、「誘導モータ２３ｄの動作を制御する誘導動作制御手段」が構成される。
【００９５】
誘導板２３ａは、第１の空間部２１ｇ内においてベース部材２１の前面部に回動可能な状態に支持され、遊技者から視認可能とされている。つまり、この誘導板２３ａは左右方向に沿った中間部の回動軸心２３ｅを基準として回動可能な状態に支持されている。また、誘導板２３ａの上面部は入球口２９Ａ、２９Ｂを通じて中央装置２０内に進入し、上方から落下する遊技球を受け取り、誘導板２３ａの左端部若しくは右端部に転動させるための転動面を構成している。
【００９６】
この通過路選択装置２３においては、誘導板２３ａがシーソの如く揺動して、その姿勢を「左方向に傾斜する姿勢（以下、「通常誘導姿勢」という。）」と、「右方向に傾斜する姿勢（以下、「特別誘導姿勢」という。）」との間で交互に変更可能である。但し、主制御部２００Ａが誘導モータ２３ｄの動作を制御することで、誘導板２３ａの揺動態様が以下のように制御される。つまり、誘導板２３ａの姿勢が通常誘導姿勢となったときと、特別誘導姿勢になったときに、誘導板２３ａは動作を一旦停止させ、各姿勢を一定時間維持するが、特別誘導姿勢が維持される時間は、通常誘導姿勢が維持される時間に比べて短く（例えば、１／５以下の時間）となるように制御される。
【００９７】
誘導板２３ａの姿勢が「通常誘導姿勢」である場合には、入球口２９Ａ、２９Ｂを通じて、「中央装置２０内に進入し、誘導板２３ａの上面部に落下する遊技球」は、第１の通過路形成部材２４Ａに誘導され、この後、第１の誘導装置２５に受け入れられる（図６の実線の引き出し線を付した符号２３ａを参照）。一方、誘導板２３ａの姿勢が「特別誘導姿勢」である場合には、「誘導板２３ａの上面部に落下する遊技球」は第２の通過路形成部材２４Ｂに誘導され、この後、第２の誘導装置２６に受け入れられる（図６の破線の引き出し線を付した符号２３ａを参照）。そして、後述するように、「遊技球が第１の通過路形成部材２４Ａに誘導される場合」に比べて、「遊技球が第２の通過路形成部材２４Ｂに誘導される場合」の方が「遊技者にとって有利な遊技結果」が得られる可能性が高くなっている。
【００９８】
本実施例においては、「入球口２９Ａ、２９Ｂを通じて中央装置２０内に進入した遊技球が第２の通過路形成部材２４Ｂに誘導される確率（以下、「第２の誘導確率」という。）」は、「入球口２９Ａ、２９Ｂを通じて中央装置２０内に進入した遊技球が第１の通過路形成部材２４Ａに誘導される確率（以下、「第１の誘導確率」という。）」に比べて低くなるように設定されている。前述のように、揺動する誘導板２３ａが「特別誘導姿勢」を維持する時間は「通常誘導姿勢」が維持される時間に比べて短くされているからである。
【００９９】
第１の通過路形成部材２４Ａは、図９に示すように、収納ボックス２２内に配置されている。この第１の通過路形成部材２４Ａは、「入球口２９Ａ、２９Ｂを通じて中央装置２０内に進入した遊技球」を、第１の誘導装置２５に向かって通過させるためのものである。この第１の通過路形成部材２４Ａは、断面形状が略四角枠状で中間部の２カ所に屈曲部を備える筒状体（樋）を用いて構成されている。この第１の通過路形成部材２４Ａは、上方に開口する受入口２４６Ａを誘導板２３ａの中間部（回動軸心２３ｅが通過する位置）の斜め左下に位置させている。また、「遊技球の排出口２４７Ａ」を収納ボックス２２の奥側左端寄りにおいて下方に開口させている。この第１の通過路形成部材２４Ａの床面は受入口２４６Ａから排出口２４７Ａに向かって緩やかな下り傾斜を備えている。
【０１００】
第２の通過路形成部材２４Ｂも、図９に示すように、収納ボックス２２内に配置されている。この第２の通過路形成部材２４Ａは、「入球口２９Ａ、２９Ｂを通じて中央装置２０内に進入した遊技球」を、第２の誘導装置２６に向かって通過させるためのものである。この第２の通過路形成部材２４Ｂも、断面形状が略四角枠状で中間部の２カ所に屈曲部を備える筒状体（樋）を用いて構成されている。この第２の通過路形成部材２４Ｂは、上方に開口する受入口２４６Ａを誘導板２３ａの中間部（回動軸心２３ｅが通過する位置）の斜め右下に位置させている。また、「遊技球の排出口２４７Ｂ」を収納ボックス２２の奥側右端寄りにおいて下方に開口させている。この第２の通過路形成部材２４Ｂの床面も受入口２４６Ｂから排出口２４７Ｂに向かって緩やかな下り傾斜を備える。
【０１０１】
第１の誘導装置２５は収納ボックス２２内において中央部よりも左側の部位に配置されている。この第１の誘導装置２５は「振分装置」の具体例を構成する装置であり、「第１の通過路形成部材２４Ａを通過した遊技球」を受け入れ、通常領域部ＴＲ（図１９を参照）及び第２の誘導装置２６のうちの一方に誘導するためのものである。つまり、「第１の通過路形成部材２４Ａを通過した遊技球」を受け入れた後、この受け入れた遊技球の到達する領域部を通常領域部ＴＲ（図２３を参照）と、この「通常領域部ＴＲよりも遊技者にとって有利な第２の誘導装置２６が設けられる領域部」とのうちの一方に振り分けるものである。尚、第２の誘導装置２６の詳細については後述する。
【０１０２】
第１の誘導装置２５は、図７に示すように、基体部２５ａと移送ローラ装置２５ｂとを備えている。また、基体部２５ａは遊技球を転動させる転動面を構成すると共に移送ローラ装置２５ｂを支持するための部材であり、「横長の略矩形状」の平面形状を備えている。この基体部２５ａは、図８に示すように、本体部２５ｃとモータ取付部２５ｄとを備えている。尚、モータ取付部２５ｄは、基体部２５ａの左端側を構成し、本体部２５ｃは「基体部２５ａのその他の部分」を構成する。
【０１０３】
図８に示すように、本体部２５ｃにおいて前後方向に沿った中央部であって右端側に偏心した位置には、装着部２５ｅが設けられている。この装着部２５ｅは、略樽形の開口形状を呈しつつ上方に向かって開口する凹部によって構成されている。また、本体部２５ｃの後縁部からは後壁部２５ｆが立ち上げられ、本体部２５ｃの左縁部からは左側壁部２５ｇが立ち上げられている。更に、本体部２５ｃの前縁部からは前壁部２５ｈが立ち上げられているが、この前壁部２５ｈは、２つの切り欠き部Ｋ１、Ｋ２を備えている｛図１５（ａ）を参照｝。
【０１０４】
本体部２５ｃの上面部からは仕切壁部２５ｉが立ち上げられている。この仕切壁部２５ｉは後端部を後壁部２５ｆに一体化させ、左側壁部２５ｇと略平行に配設されている。但し、この仕切壁部２５ｉと、左側壁部２５ｇとの間には遊技球の通過を許容する空間（１１ｍｍを超える幅を有する間隔）が設けられている。また、仕切壁部２５ｉの前端部と、前壁部２５ｈとの間にも、遊技球の通過を許容する空間（１１ｍｍを超える幅を有する間隔）が設けられている。
【０１０５】
本体部２５ｃの上面部において左側壁部２５ｇと仕切壁部２５ｉとの間に位置する部位は球導入路Ｄ１を構成する。この球導入路Ｄ１は第１の通過路形成部材２４Ａ（通過路）を通過した遊技球を受け取り、後述する受入転動部Ｅに導入するためのものである。この球導入路Ｄ１は、入口部Ｄ１１を第１の通過路形成部材２４Ａの排出口２４７Ａの直下に位置させる（図１０を参照）と共に、出口部Ｄ１２を後述する受入転動部Ｅに接続している。また、球導入路Ｄ１の床面部は、入口部Ｄ１１から出口部Ｄ１２に向かって下り傾斜状とされている（図１０を参照）。
【０１０６】
本体部２５ｃの上面部において前壁部２５ｈと装着部２５ｅとの間の部位は、受入転動部Ｅを構成している（図８を参照）。この受入転動部Ｅは左右方向に形成されると共に左端部ＥＬが球導入路Ｄ１の出口部Ｄ１２と略直交する状態で接続されている。このため、受入転動部Ｅは第１の通過路形成部材２４Ａ（通過路）に球導入路Ｄ１を介して接続され、第１の通過路形成部材２４Ａ（通過路）、球導入路Ｄ１の順に通過した遊技球を受け入れることができる。但し、受入転動部Ｅの右端部の床面（路面）は球導入路Ｄ１の出口部Ｄ１２の床面（路面）に比べて段差状に低くされている（図１２を参照）。
【０１０７】
図７及び図１５（ａ）に示すように、この受入転動部Ｅは略波形とされつつ、左右方向に転動経路を形成している。つまり、この受入転動部Ｅは、なだらかな凹凸を形成しつつ、「平面視で略直線状」に設けられた転動面（路面）を用いて構成されると共に、左端部ＥＬ（図８等を参照）を「遊技球を導入するための導入部」とし、右端部ＥＲ（図８等を参照）を転動した遊技球が折り返す折り返し部としている。この受入転動部Ｅの転動経路の経路途中には、転動面（路面）を略山形に隆起させて構成される障害用隆起部Ｖが設けられている。また、この受入転動部Ｅにおいては、右端部ＥＲ及び左端部ＥＬの高さを他の何れの部位の高よりも高くしている。
【０１０８】
以下の説明においては、「受入転動部Ｅにおいて障害用隆起部Ｖの頂部ＶＴよりも左側に位置する部位」を通常転動部ＮＴと称し、「受入転動部Ｅにおいて頂部ＶＴよりも右側に位置する部位」を特別転動部ＳＴと称する。
【０１０９】
通常転動部ＮＴは、図１５（ａ）に示すように、谷形に凹む（略円弧状に凹む）形状とされ、左右に沿った両端部（受入転動部Ｅの左端部ＥＬ及び障害用隆起部Ｖの頂部ＶＴ）において床面を高くし、中央部において床面の高さを最も低くしている。この通常転動部ＮＴでは左端部（受入転動部Ｅの左端部ＥＬ）から中央部に向かって、下り傾斜部（緩やかな略円弧状の経路をたどって右下り傾斜となる下り傾斜部）が形成され、右端部（障害用隆起部Ｖの頂部ＶＴ）から中央部に向かって下り傾斜部（緩やかな略円弧状の経路をたどって左下り傾斜となる下り傾斜部）が形成されている。
【０１１０】
また、特別転動部ＳＴも、図１５（ａ）に示すように、谷形に凹む（略円弧状に凹む）形状とされ、両端部（障害用隆起部Ｖの頂部ＶＴ及び受入転動部Ｅの右端部ＥＲ）において床面を高くし、中央部において床面の高さを最も低くしている。この特別転動部ＳＴでは、左端部（障害用隆起部Ｖの頂部ＶＴ）から中央部に向かって下り傾斜部（緩やかな略円弧状の経路をたどって左下り傾斜となる下り傾斜部）が形成され、右端部（受入転動部Ｅの右端部ＥＲ）から中央部に向かって下り傾斜部（緩やかな略円弧状の経路をたどって左下り傾斜となる下り傾斜部）が形成されている。
【０１１１】
通常転動部ＮＴの左右方向に沿った経路長は遊技球の直径（１１ｍｍ）の約６倍とされ、特別転動部ＳＴの左右方向に沿った経路長は遊技球の直径（１１ｍｍ）の約３倍とされている。そして、以下の説明においては、「通常転動部ＮＴにおいて中央部を中心とする遊技球の直径（１１ｍｍ）の約２倍の幅の部位」を「第１の通常誘導部ＮＹ１」と称し、「特別転動部ＳＴの中央部を中心とする遊技球の１個分の幅の部位」を第２の通常誘導部ＮＹ２と称する（図１５を参照）。この第１の通常誘導部ＮＹ１及び第２の通常誘導部ＮＹ２は、何れも、前方に下り傾斜となる傾斜面によって構成されている（図７等を参照）。
【０１１２】
図１５に示すように、前述の前壁部２５ｈにおいて受入転動部Ｅの前方に位置する部位では本体部２５ｃの上方（受入転動部Ｅの上方）への突出量が少なくされ、遊技球の直径（１１ｍｍ）の約「１／４」の量に相当する突出量とされている。また、前壁部２５ｈに設けられる一方の切り欠き部Ｋ１は第１の通常誘導部ＮＹ１の前縁部に相当する部位に設けられる。このため、第１の通常誘導部ＮＹ１においてその「前方への下り傾斜」を利用し、前方へ転動する遊技球はこの切り欠き部Ｋ１を通過し、受入転動部Ｅ外へ排出され、所定の連絡路ＴＲ１を介して、通常領域部ＴＲに誘導される（図１９を参照）。
【０１１３】
前壁部２５ｈに設けられる他方の切り欠き部Ｋ２は、第２の通常誘導部ＮＹ２の前縁部に相当する部位に設けられる。このため、第２の通常誘導部ＮＹ２においてその「前方への下り傾斜」を利用し、前方へ転動する遊技球は、この切り欠き部Ｋ２を通過し、受入転動部Ｅ外へ排出され、前述の連絡路ＴＲ１を介して通常領域部ＴＲに誘導される（図１９を参照）。
【０１１４】
図７及び図８に示すように、本体部２５ｃの上面部において装着部２５ｅと後壁部２５ｆとの間には球受取転動部Ｇが設けられ、装着部２５ｅと仕切壁部２５ｉとの間には連結用転動部Ｊが設けられている。尚、球受取転動部Ｇ及び連結用転動部Ｊは、１球の遊技球が通過可能な幅（１１ｍｍを超える幅）を有している。
【０１１５】
球受取転動部Ｇは移送ローラ装置２５ｂ（後述する。）によって上方に移送される遊技球を受け取り、受入転動部Ｅ及び第２の誘導装置２６のうちの一方に誘導するための誘導部を構成する。この球受取転動部Ｇは、図１５に示すように、頂部ＧＴの左右に下り傾斜となる下り傾斜面を用いて構成されている。つまり、頂部ＧＴを基準として左方向に下り傾斜となる第１の傾斜部Ｇ１と、頂部ＧＴを基準として右方向に下り傾斜となる第２の傾斜部Ｇ２とを備えている。また、「球受取転動部Ｇの頂部ＧＴ」と、「障害用隆起部Ｖの頂部ＶＴ」とは前後に位置合わせされている。また、「球受取転動部Ｇの頂部ＧＴ」の高さは「障害用隆起部Ｖの頂部ＶＴ」の高さよりも高くされている。
【０１１６】
連結用転動部Ｊは、図７に示すように、後方から前方に向かって下り傾斜となる下り傾斜部を用いて構成されている。そして、連結用転動部Ｊの後端部（上端部）と、第１の傾斜部Ｇ１の左端部（下端部）とが、略直交する状態で連結されると共に、連結用転動部Ｊの前端部（下端部）と、通常転動部ＮＴとが略直交する状態で連結されている。このように、第１の傾斜部Ｇ１と連結用転動部Ｊとが連結されることで、下り傾斜状の通路（戻し通路）が形成されるが、この通路（戻し通路）によって「第１の傾斜部Ｇ１の遊技球を受入転動部Ｅに戻すための返還誘導部Ｎ１」が構成される（図８を参照）。
【０１１７】
図７に示すように、第２の傾斜部Ｇ２の下端部は、本体部２５ｃの右端面の後方側において第１の誘導装置２５の外部に開放され、後述する「第２の誘導装置２６の転動面２６ｋ」に連結されている。このように、第２の傾斜部Ｇ２は第２の誘導装置２６に向かって下り傾斜状の通路（以下、「特別誘導部Ｓ１」という。）が構成されるが、この「特別誘導部Ｓ１」は「遊技球を第２の誘導装置２６の方向に向かって誘導する誘導通路」を構成する。
【０１１８】
移送ローラ装置２５ｂは、図１１を用いて示されるように、移送ローラ２５ｍと、移送ローラ２５ｍを回転可能な状態に支持するための支持部２５ｎ、２５ｐと、移送ローラ２５ｍを回転駆動させるための移送モータ２５ｒとを備えている。また、移送ローラ２５ｍは、ローラ本体２５ｓと、ローラ軸２５ｔと、通常吸着片２５ｕと、特別吸着片２５ｖとを備えている。
【０１１９】
ローラ本体２５ｓは樹脂を用いて構成されると共に略樽形状の外形を備えている。このローラ本体２５ｓの縦断面（回転軸心を通過する縦断面）の形状は、装着部２５ｅの開口形状と略等しくされている。但し、ローラ本体２５ｓの縦断の外縁寸法は装着部２５ｅの開口部の内縁寸法よりも僅かに小さくされている。つまり、このローラ本体２５ｓはその回転軸心を略水平方向に向け、下方側の部分を装着部２５ｅ内に埋没させ、上方側の部分を本体部２５ｃの上方に露呈させた状態とされつつ回転可能なサイズとされている。
【０１２０】
尚、以下の説明においてはローラ本体２５ｓのうちで外径が最大となる部分を大径部２５１ｓと称し、この大径部２５１ｓよりも右側の部分（ローラ本体２５ｓの軸心方向に沿った右側の部分）を右方部２５２ｓと称し、この大径部２５１ｓよりも左側の部分（ローラ本体２５ｓの軸心方向に沿った左側の部分）を左方部２５３ｓと称することがある。
【０１２１】
ローラ軸２５ｔはローラ本体２５ｓの軸心位置に配設され、ローラ本体２５ｓと一体で回転可能とされている。また、ローラ軸２５ｔの左端部側はローラ本体２５ｓの左端面から突出し、ローラ軸２５ｔの右端部側はローラ本体２５ｓの右端面から突出している。尚、ローラ軸２５ｔの軸心は移送ローラ２５ｍの回転軸心に一致する。
【０１２２】
通常吸着片２５ｕは永久磁石を用いて構成される小片を用いて構成されると共に、図１３及び図１４に示すように、ローラ本体２５ｓの左方部２５３ｓに装着されて、この左方部２５３ｓの所定の部位の外周部に「通常吸着部Ｘ」を形成する。この通常吸着部Ｘ（通常吸着片２５ｕ）は、左方部２５３ｓのうちの「ローラ本体２５ｓの回転軸心（ローラ軸２５ｔの軸心）」に沿った２箇所において、左方部２５３ｓ（ローラ本体２５ｓ）の外周部を周回する方向に沿って複数個ずつ、形成間隔をおいた状態で装着されている。
【０１２３】
つまり、この左方部２５３ｓにおける「２カ所」のうちで左側に位置する部位（以下、「第１の形成位置ｄ１」という。）には、３個の通常吸着部Ｘ（通常吸着片２５ｕ）が左方部２５３ｓの外周部を周回する方向に沿って等間隔に設けられている。また、この左方部２５３ｓにおける「２カ所」のうちで右側に位置する部位（以下、「第２の形成位置ｄ２」という。）には、２個の通常吸着部Ｘ（通常吸着片２５ｕ）が左方部２５３ｓの外周部を周回する方向に沿って等間隔に設けられている。但し、左方部２５３ｓに装着される通常吸着部Ｘの数を更に多くしてもよい。この場合、移送ローラ装置２５ｂと返還誘導部Ｎ１（後述する。）等を用いた演出（前述の返還機能を用いた演出）の実行頻度を高くすることができる。
【０１２４】
特別吸着片２５ｖも、通常吸着片２５ｕと同様に、永久磁石を用いて構成される小片を用いて構成されている。そして、この特別吸着片２５ｖはローラ本体２５ｓの右方部２５２ｓに装着されてこの右方部２５２ｓの所定の部位の外周部に「特別吸着部Ｚ」を形成する。この特別吸着部Ｚ（特別吸着片２５ｖ）は、右方部２５２ｓのうちの「ローラ本体２５ｓの回転軸心（ローラ軸２５ｔの軸心）」に沿った１箇所において１個設けられている。但し、右方部２５２ｓに装着される特別吸着部Ｚ（特別吸着片２５ｖ）の数を多くしてもよい。この場合、移送ローラ装置２５ｂと特別誘導部Ｓ１（後述する。）等を用いた演出の実行頻度を高くすることができる。
【０１２５】
支持部２５ｎ、２５ｐは移送ローラ２５ｍ（ローラ軸２５ｔ）を回転可能な状態で支持する軸受部である。このうち、左側の支持部２５ｎは、導入路Ｄ１及び連結用転動部Ｊの下方に埋設された状態に配置され、右側の支持部２５ｐは、基体部２５ａの右端側において埋設された状態に配置されている。そして、左側の支持部２５ｎはローラ軸２５ｔの左端部側を回転可能な状態に支持し、右側の支持部２５ｐはローラ軸２５ｔの右端部側を回転可能な状態に支持している。
【０１２６】
移送ローラ２５ｍは支持部２５ｎ、２５ｐで支持されつつ、基体部２５ａに対して、以下の状態で配置されている。即ち、移送ローラ２５ｍの回転軸心（ローラ軸２５ｔ）を左右方向に向け、移送ローラ２５ｍ（ローラ本体２５ｓ）の下方側の部分を装着部２５ｅ内に埋没させ、上方側の部分を基体部２５ａの上方に露呈させた状態とされつつ回転可能な状態に配置されている。
【０１２７】
移送ローラ２５ｍが基体部２５ａに対して、このような状態で配置されると、移送ローラ２５ｍの上方側の部分が「受入転動部Ｅ、球受取転動部Ｇ、及び、連結用転動部Ｊ」よりも上方に突出する状態とされる。また、受入転動部Ｅ及び移送ローラ２５ｍの外周部の距離と、球受取転動部Ｇ及び移送ローラ２５ｍの外周部の距離と、連結用転動部Ｊ及び移送ローラ２５ｍの外周部の距離は、何れも、遊技球の直径の半分以下（ゼロを含まない。）の距離とされる。
【０１２８】
図８に示すように、「ローラ本体２５ｓの大径部２５１ｓ」は「障害用隆起部Ｖの頂部ＶＴ」及び「球受取転動部Ｇの頂部ＧＴ」と前後に位置合わせされている。また、「左側の通常吸着片２５ｕ」は「第１の通常誘導部ＮＹ１の左端部」と前後に位置合わせされ、「右側の通常吸着片２５ｕ」は「第１の通常誘導部ＮＹ１の右端部」と前後に位置合わせされている。更に、「特別吸着片２５ｖ」は、「第２の通常誘導部ＮＹ２の略中央部」と前後に位置合わせされている。
【０１２９】
以下の説明においては、「第１の傾斜部Ｇ１（返還誘導部Ｎ１）のうちの左側の通常吸着片２５ｕと前後に位置合わせされる箇所」を第１の通常球受取部Ｆ１と称する。また、「第１の傾斜部Ｇ１（返還誘導部Ｎ１）のうちの右側の通常吸着片２５ｕと前後に位置合わせされる箇所」を第２の通常球受取部Ｆ２と称する。更に、第２の傾斜部Ｇ２（特別誘導部Ｓ１）において「特別吸着片２５ｖ」と前後に位置合わせされる箇所を特別球受取部Ｗと称する。
【０１３０】
移送モータ２５ｒは、移送ローラ２５ｍを回転させるための「ステッピングモータ」であり、図１１に示すように、モータ取付部２５ｄに取り付けられている。そして、この移送モータ２５ｒの回転軸２５１ｒに装着されたギア２５２ｒと、ローラ軸２５ｔに装着されたギア２５１ｔとが噛合されている。このため、移送モータ２５ｒによって生ずる回転駆動力が移送ローラ２５ｍに伝達される。
【０１３１】
尚、後述する主制御部２００Ａは、回転軸２５１ｒが一定速度で回転するように移送モータ２５ｒの動作を制御する。但し、主制御部２００Ａは、所定条件が成立したときのみに（例えば、後述する「小当たりを生じたときのみに）、回転軸２５１ｒが回転するように移送モータ２５ｒの動作を制御してもよい。
【０１３２】
本実施例においては、図１６（ａ）に示すように、第１の通過路形成部材２４Ａ及び球導入路Ｄ１を通過し、受入転動部Ｅに導入される遊技球Ｙの多くは通常転動部ＮＴを転動｛例えば、１回若しくは複数回、往復動（転動）したり、片道分転動する。｝し、勢い（転動速度）が低下したところで第１の通常誘導部ＮＹ１によって通常領域部ＴＲに誘導される。但し、図１４（ａ）、（ｂ）及び図１６（ｂ）に示すように、遊技球Ｙが通常転動部ＮＴを転動中に（第１の通常誘導部ＮＹ１によって通常領域部ＴＲに誘導される前に）、何れかの通常吸着片２５ｕ（通常吸着部）によって吸着されると、この遊技球Ｙは移送ローラ２５ｍと一体で回転する。この遊技球Ｙは移送ローラ２５ｍと一体で回転し、受入転動部Ｅの上方に移送される。
【０１３３】
更に、この遊技球Ｙは第１の傾斜部Ｇ１（返還誘導部Ｎ１）の床面（第１の通常球受取部Ｆ１、若しくは、第２の通常球受取部Ｆ２）に当接したところで、この床面に追従するため、「移送ローラ２５ｍとの一体回転」を禁止され、この床面に移行する。換言すると、この床面（第１の通常球受取部Ｆ１、若しくは、第２の通常球受取部Ｆ２）は通常吸着片２５ｕによって吸着された遊技球Ｙを、通常吸着片２５ｕから剥奪する。更に、この床面（第１の通常球受取部Ｆ１、若しくは、第２の通常球受取部Ｆ２）に移行した遊技球は返還誘導部Ｎ１の下り傾斜状の床面に沿って転動して通常転動部ＮＴに誘導される。
【０１３４】
このように、返還誘導部Ｎ１を通じて通常転動部ＮＴに誘導される（通常転動部ＮＴに返還される）遊技球Ｙは、図１７（ａ）に示すように、障害用隆起部Ｖの頂部ＶＴを超えて特別転動部ＳＴに到達する可能性が高くなっている。蓋し、本実施例では返還誘導部Ｎ１において遊技球Ｙを受け取る部位（第１の通常球受取部Ｆ１、若しくは、第２の通常球受取部Ｆ２）の高さが障害用隆起部Ｖの頂部ＶＴの高さよりも、２０ｍｍ以上高くされている。しかも、返還誘導部Ｎ１の経路長及び通常転動部ＮＴの経路長を合わせたもの（以下、「第２の経路長ａ２」という。）が短くされている（例えば、１５０ｍｍ以下）とされているからである。
【０１３５】
このように、障害用隆起部Ｖの頂部ＶＴを超えて、特別転動部ＳＴに到達した遊技球Ｙは特別転動部ＳＴを転動｛例えば、１回若しくは複数回、往復動（転動）したり、片道分転動する。｝する。そして、図１４（ｃ）及び図１７（ｂ）に示すように、勢い（転動速度）が低下したところで、特別吸着片２５ｖ（特別吸着部）によって吸着されると、この遊技球Ｙは移送ローラ２５ｍと一体で回転する。但し、本実施例では特別吸着片２５ｖ（特別吸着部）に吸着されず、第２の通常誘導部ＮＹ２によって通常領域部ＴＲに誘導される遊技球も存在する。
【０１３６】
特別転動部ＳＴを転動中に特別吸着片２５ｖ（特別吸着部）によって吸着された遊技球Ｙは移送ローラ２５ｍと一体で回転し、受入転動部Ｅの上方に移送される。この遊技球Ｙは第２の傾斜部Ｇ２（特別誘導部Ｓ１）の床面（特別球受取部Ｗ）に当接したところで、この床面に追従するため、「移送ローラ２５ｍとの一体回転」を禁止され、この床面に移行する。換言すると、この床面（特別球受取部Ｗ）は特別吸着片２５ｖから遊技球を剥奪する。更に、この床面（特別球受取部Ｗ）に移行した遊技球は右方向に向かって下り傾斜状の特別誘導部Ｓ１に沿って、第２の誘導装置２６に誘導される。
【０１３７】
尚、第１の通過路形成部材２４Ａ及び球導入路Ｄ１を通過し、受入転動部Ｅに導入される際に遊技球Ｙの速度が速い場合、この遊技球Ｙは障害用隆起部Ｖの頂部ＶＴを超えて特別転動部ＳＴに到達することがある。この場合においても、遊技球Ｙは特別吸着片２５ｖ（特別吸着部）によって吸着され、特別球受取部Ｗ、特別誘導部Ｓ１を経て第２の誘導装置２６に誘導されるか、若しくは特別吸着片２５ｖ（特別吸着部）に吸着されず、第２の通常誘導部ＮＹ２によって通常領域部ＴＲに誘導される。また、本実施例では遊技球が特別転動部ＳＴに到達しても、通常領域部ＴＲに誘導される可能性がある。
【０１３８】
第２の誘導装置２６は収納ボックス２２内において中央部よりも右側の部位に配置されている（図４及び図７を参照）。この第２の誘導装置２６は、（１）第１の誘導装置２５から誘導された遊技球を受け入れ、通常領域部ＴＲ及び特別領域部ＳＲのうちの一方に誘導したり、（２）第２の通過路形成部材２４Ｂを通過した遊技球を受け入れ、通常領域部ＴＲ及び特別領域部ＳＲのうちの一方に誘導するためのものである（図１９を参照）。
【０１３９】
第２の誘導装置２６は「第２の振分装置」の具体例を構成するものであり、第１の誘導装置２５若しくは第２の通過路形成部材２４Ｂを介して受け入れた遊技球の到達する領域部を、通常領域部ＴＲ（図１９を参照）と、この「通常領域部ＴＲよりも遊技者にとって特別領域部ＳＲ」とのうちの一方に振り分けるものである。この第２の誘導装置２６は「遊技の結果を直結する最重要な振分装置」であるため、不正行為の直接的な標的となり易い。
【０１４０】
第２の誘導装置２６は、図２０に示すように、基体部２６ａ（図７及び図８を参照）と、回転誘導体２６ｂと、誘導モータ２６ｃ（図２７を参照）と、回転軸８０と、ケース９０と、検出装置本体１００とを備えている。尚、検出装置本体１００は、後述する主制御部２００Ａとによって「不正対策装置（不正対策構造を具現化した装置）」の具体例を構成する。
【０１４１】
ケース９０は、収納ボックス２２内において中央部よりも右側の部位に固定状態で配設されている。このケース９０は、図２０に示すように、第２の誘導装置２６を構成する部品のうちで、遊技者から視認不能な状態に配置されるもの（誘導モータ２６ｃ、回転軸８０、検出装置本体１００等）を収納するための収納箱として機能すると共に、これらの部品を収納ボックス２２に取り付けるための取付部材（取付用のステー）を構成していている。
【０１４２】
このケース９０は、図２０に示すように、上方に開口するケース本体９１と、ケース本体９１の開口部に装着される蓋部９２とを備えている。そして、取付金具９３を用いて収納ボックス２２の内壁部に固定されている。このため、ケース９０は収納ボックス２２を介して遊技盤１０（盤本体１０Ｈ）に固定された状態となるため、遊技盤１０（盤本体１０Ｈ）に振動が加えられると、このケース９０も振動するものとされている。また、ケース９０の前壁９０ａの後面部９０ｂからは「検出装置本体１００の取付のために使用される取付用突部９８」が突出している。この取付用突部９８は、図２１に示すように、後方に向かって略片持ち梁状に突出する天板部９８ａと、天板部９８ａ下方に垂下する垂板部９８ｂとを備えている。また、前壁９０ａの後面部９０ｂと、垂板部９８ｂの前面部９８ｃとは所定の間隔を開けつつ前後に対向する状態となっている。
【０１４３】
基体部２６ａはケース９０の上面部（蓋部９２）に搭載（固定）され、ケース９０と一体で振動可能とされている。また、この基体部２６ａの上面部には、図７に示すように、上方に開口すると共に外縁部の形状が略円形の凹部２６ｄが設けられている。この凹部２６ｄは、中心側に位置すると共に平面形状が略円形の装着部２６ｅと、装着部２６ｅを周回状に包囲すると共に平面形状が略リング状の球導入部２６ｆとを備えている。そして、装着部２６ｅの深さは球導入部２６ｆの深さよりも深くされている。また、球導入部２６ｆの底面部は装着部２６ｅに向かって下り傾斜となる傾斜面とされている。
【０１４４】
装着部２６ｅの底面部においては、図１８（ｂ）及び（ｃ）に示すように、遊技球を通常領域部ＴＲに誘導するための通常誘導孔２６ｇと、遊技球を特別領域部ＳＲに誘導するための特別誘導孔２６ｈとが開口している。但し、特別誘導孔２６ｈの開口位置と装着部２６ｅの中心部２６ｊとの距離は、通常誘導孔２６ｇの開口位置と装着部２６ｅの中心部２６ｊとの距離よりも小さくされている。つまり、前者の距離は、後者の距離よりも、「遊技球の直径（１１ミリ）」を超える長さの分だけ、小さくされている。
【０１４５】
図７に示すように、基体部２６ａの上面部において凹部２６ｄの後方に位置する部位には、特別誘導部Ｓ１の下端部（出口部）と、球導入部２６ｆとの間を介在する転動面２６ｋが設けられている。この転動面２６ｋは、球導入部２６ｆの方向に下り傾斜とされ、樋部材２５ｃを通じて第１の誘導装置２５から誘導される遊技球を受け入れ、球導入部２６ｆに向かって転動させる。
【０１４６】
図７に示すように、基体部２６ａの上面部において凹部２６ｄの右側方に位置する部位には、特別誘導溝２６ｐが設けられている。この特別誘導溝２６ｐは第２の通過路形成部材２４Ｂ（特別通過路）を通過した遊技球を受け取り、球導入部２６ｆに導入するためのものである。この特別誘導溝２６ｐは入口部２６１ｐを第２の通過路形成部材２４Ｂの出口部の直下に位置させると共に出口部２６１ｐを球導入部２６ｆに接続している。また、特別誘導溝２６ｐの床面部は、入口部２６１ｐから出口部２６２ｐに向かって下り傾斜状とされている。このため、特別誘導溝２６ｐを通過した遊技球は球導入部２６ｆに進入可能となっている。
【０１４７】
図２０に示すように、回転軸８０は軸心を上下方向に向けつつ、ケース９０の内外を貫通する状態に配設されている。つまり、この回転軸８０は上端部を基体部２６ａよりも更に上方に配置し、下端部をケース９０の底壁部の下方に突出させている。また、この回転軸８０は、蓋部９２に配設された軸受け部８１と、底壁部に配設された軸受け部８２とを用いて支持され、その軸心回りに回転可能とされている。
【０１４８】
回転誘導体２６ｂは、図７及び図２０に示すように、装着部２６ｅに回転可能な状態に配設されている。この回転誘導体２６ｂは、図１８に示すように、上面部が曲面部とされた円板に対して、４個の誘導用凹部２６１ｂ、２６１ｂ、２６１ｂ、２６２ｂを設けた構成を備え、その軸心位置に回転軸８０の上端部側を挿通させている。また、回転誘導体２６ｂは、回転軸８０と一体で、この回転軸８０の軸心回りに回転可能とされている。尚、回転誘導体２６ｂの上面部には、略球状の装飾部材２６ｍが装着されているが、図７、図８及び図１８（ａ）においては図示を省略する。
【０１４９】
図１８（ａ）に示すように、４個の誘導用凹部２６１ｂ、２６１ｂ、２６１ｂ、２６２ｂは、回転誘導体２６ｂの周方向に沿って等間隔に形成されると共に、１個の遊技球を受け入れ可能なサイズとされている。また、何れの誘導用凹部２６１ｂ、２６２ｂも、回転誘導体２６ｂの外周部の側から回転誘導体２６ｂの中心部の側に凹む状態に形成されると共に回転誘導体２６ｂの上面部及び下面部においても開口している。そして、球導入部２６ｆ上の遊技球を、受け入れことが可能である。
【０１５０】
但し、３個の誘導用凹部２６１ｂが遊技球を通常誘導孔２６ｇに誘導するために用いられ、残りの１個の誘導用凹部２６２ｂが遊技球を特別誘導孔２６ｈに誘導するために用いられる。つまり、誘導用凹部２６１ｂ、２６２ｂに受け入れられた遊技球は、図１８（ｃ）に示すように、誘導用凹部２６１ｂの出口部２６５ｂ、２６６ｂから、通常誘導孔２６ｇ及び特別誘導孔２６ｈのうちの何れか一方に誘導される。そして、この出口部２６５ｂ、２６６ｂは、回転誘導体２６ｂの底面部で開口しているが、（ａ）３個の誘導用凹部（以下、「通常誘導用凹部」という。）２６１ｂが、「回転誘導体２６ｂを回転させることで通常誘導孔２６ｇ（入口部）と上下に位置合わせ可能な位置」に設けられ、（ｂ）残りの１個の誘導用凹部（以下、「特別誘導用凹部」という。）２６２ｂが、「回転誘導体２６ｂを回転させることで特別誘導孔２６ｈ（入口部）と上下に位置合わせ可能な位置」に設けられているからである。
【０１５１】
尚、図１８に示すように、通常誘導用凹部２６１ｂには回転誘導体２６ｂの回転中心の側に向かって下り傾斜となる誘導面２６１１ｂが形成され、特別誘導用凹部２６２ｂには回転誘導体２６ｂの周縁側に向かって下り傾斜となる誘導面２６２１ｂが設けられている。また、通常誘導用凹部２６１ｂは「第１の捕捉部」の具体例を構成し、特別誘導用凹部２６２ｂは「第２の捕捉部」の具体例を構成している。また、第２の誘導装置２６には通常誘導孔２６ｇに進入した遊技球を通常領域部ＴＲに到達させるための通路と、特別誘導孔２６ｈに進入した遊技球を特別領域部ＳＲに到達させるための通路が設けられているが、図２４等においてはその図示を省略する。
【０１５２】
誘導モータ２６ｃは、回転誘導体２６ｂを回転させるためのモータであり、図２０に示すように、ケース９０の内部に固定されている。この誘導モータ２６ｃの駆動軸にはギア２６１ｃが一体回転可能な状態に装着されている。また、回転軸８０にはギア８０ｂが一体回転可能な状態装着され、このギア８０ｂは「誘導モータ２６ｃの駆動軸に装着されたギア２６１ｃ」と噛合されている。このため、誘導モータ２６ｃから発生する回転駆動力は、これらの伝達部材（ギア２６１ｃと、ギア８０ｂと、回転軸８０）を介して、回転誘導体２６ｂに伝達される。尚、本実施例では主制御部２００Ａが誘導モータ２６ｃの回転軸を一定速度で回転させるように誘導モータ２６ｃの動作を制御するため、回転誘導体２６ｂは一定速度で回転（上方側から見て左回転）する。
【０１５３】
図２１に示すように、検出装置本体１００は、第１の固定接点形成用部材１０１と、第２の固定接点形成用部材１０２と、揺動部材１０３とを備えている。ここで、第１の固定接点形成用部材１０１と第２の固定接点形成用部材１０２とによって「一対の第一導電性磁性体部」の具体例を構成し、揺動部材１０３は「第二導電性磁性体部」の具体例を構成する。そして、この検出装置本体１００は、ケース９０の前壁９０ａと、この前壁９０ａから後方に突出する取付用突部９８とを用いて第２の誘導装置２６に組み付けられている。つまり、第１の固定接点形成用部材１０１と、第２の固定接点形成用部材１０２と、揺動部材１０３は、何れも導電性磁性体（例えば、鉄）を用いて構成されると共に、正面形状が略矩形状で薄肉状の小片（小型の鉄板）を用いて構成されている。そして、第１の固定接点形成用部材１０１と、第２の固定接点形成用部材１０２と、揺動部材１０３は、何れも肉厚方向を前後に向けつつ第２の誘導装置２６に組み付けられている。
【０１５４】
即ち、第１の固定接点形成用部材１０１はその前面部１０１Ｆを前壁９０ａの後面部９０ｂに面当接させた状態で、この後面部９０ｂに装着（例えば、貼着）され、第２の固定接点形成用部材１０２はその後面部１０２Ｂを垂板部９８ｂの前面部９８ｄに面当接させた状態で、この前面部９８ｃに装着（例えば、貼着）されている。そして、これらの装着に際して、第１の固定接点形成用部材１０１及び第２の固定接点形成用部材１０２が前後方向に位置合わせされているため、第１の固定接点形成用部材１０１の後面部１０１Ｂと、第２の固定接点形成用部材１０２の前面部１０２Ｆとは前後に所定の間隔を開けつつ対向する状態とされる。
【０１５５】
この「後面部１０１Ｂの上下方向中間より下方に位置する所定の部位」が第１の固定接点部１０１Ｓとされ、この「前面部１０２Ｆの上下方向中間より下方に位置する所定の部位」が第２の固定接点部１０１Ｓとされる。この第１の固定接点部１０１Ｓと、第２の固定接点部１０２Ｓとは前後方向に向かって対向する位置に設定される。尚、この固定接点部１０１Ｓ、１０１Ｓの設定位置（上下方向に沿った位置）は、後述する揺動部材１０３のサイズに合わせて変更可能である。
【０１５６】
揺動部材１０３は、その上端部が天板部９８ａに支持され、前後に振り子運動（揺動）可能とされている。つまり、天板部９８ａの下面部において、第１の固定接点形成用部材１０１の後面部１０１Ｂと、第２の固定接点形成用部材１０２の前面部１０２Ｆとから等間隔にある位置には支持部材９８ｈが配設され、揺動部材１０３の上端部が支持部材９８ｈに吊り下げられた状態とされている。この支持部材９８ｈは揺動部材１０３を振り子運動可能（揺動可能）な状態に支持（軸支）するための部材であり、例えば、ヒンジ等を例示できる。そして、揺動部材１０３は前面部１０３Ｆを第１の固定接点形成用部材１０１の後面部１０１Ｂに対して間隔を開けた状態で対向させ、後面部１０３Ｂを第２の固定接点形成用部材１０２の前面部１０２Ｆに対して間隔を開けた状態で対向させている。
【０１５７】
この揺動部材１０３に外力（振動力、磁力）が負荷されていない場合においては（つまり、通常時においては）、図２１に示すように、揺動部材１０３はその下端部を鉛直下方に垂下させた状態とされ、揺動部材１０３は第１の固定接点形成用部材１０１及び第２の固定接点形成用部材１０２の双方と所定の間隔を開けた状態とされる。しかも、天板部９８ａが絶縁性を備える素材で構成されるため、揺動部材１０３は第１の固定接点形成用部材１０１及び第２の固定接点形成用部材１０２と非接触で、しかも、導通しない状態に配置される。
【０１５８】
一方、揺動部材１０３に外力（振動力、磁力）が負荷されると、揺動部材１０３はその上端部を支点として前後に揺動（振り子運動）する。そして、揺動部材１０３の振れが所定の大きさとなると、図２２に示すように、揺動部材１０３の下端部が「第１の固定接点部１０１Ｓ」若しくは「第２の固定接点部１０２Ｓ」に当接する。つまり、前方に振れる揺動部材１０３は第１の固定接点部１０１Ｓに当接して、この第１の固定接点部１０１Ｓと導通し、後方に振れる揺動部材１０３が第２の固定接点部１０２Ｓに当接して、この第２の固定接点部１０２Ｓと導通する。このとき、主制御部２００Ａ（不正検出手段）が不正発生を検出することになる。この点に関しては後述する。
【０１５９】
本実施例においては、第１の誘導装置２５から誘導された遊技球や、第２の通過路形成部材２４Ｂを通過した遊技球を球導入部２６ｆで受け入れる。この遊技球は、球導入部２６ｆを転動した後、通常誘導用凹部２６１ｂ、及び、特別誘導用凹部２６２ｂのうちの一方に進入する。そして、通常誘導用凹部２６１ｂに進入した遊技球は、回転誘導体２６ｂを回転させことで、通常誘導孔２６ｇに誘導され、特別誘導用凹部２６２ｂに進入した遊技球は、回転誘導体２６ｂを回転させことで、特別誘導孔２６ｈに誘導される。
【０１６０】
図１９に示すように、中央装置２０に入球した遊技球は、先ず、通過選択装置２３によってその通過方向が選択される。そして、第１の通過路形成部材（通過路）２４Ａに誘導されると（つまり、通常ルートＬＮに誘導されると）、球導入路Ｄ１を経て受入転動部Ｅに導入され、この受入転動部Ｅを転動する（Ｌ１）。この受入転動部Ｅを転動中に、何れの吸着片（通常吸着片２５ｕ、特別吸着片２５ｖ）にも吸着されない場合、遊技球は、通常誘導部（第１の通常誘導部ＮＹ１、第２の通常誘導部ＮＹ２）によって、通常領域部ＴＲに誘導される（Ｌ２）。
【０１６１】
一方、受入転動部Ｅを転動中に通常吸着片２５ｕに吸着されると、返還誘導部Ｎ１を通じて通常転動部ＮＴに誘導される（通常転動部ＮＴに返還される）。また、受入転動部Ｅを転動中（返還誘導部Ｎ１による返還履歴の有無を問わない。また、受入転動部Ｅを転動中に特別吸着片２５ｖに吸着されると、特別誘導部Ｓ１を経て第２の誘導装置２６に誘導される（Ｌ３）。そして、転動面２６ｋ、球導入部２６ｆを経て通常誘導用凹部２６１ｂ及び特別誘導用凹部２６２ｂのうちの何れかに進入する。更に、通常誘導用凹部２６１ｂに進入すると、通常誘導孔２６ｇを経て通常領域部ＴＲに誘導され（Ｌ４）、特別誘導用凹部２６２ｂに進入すると、特別誘導孔２６ｈを経て特別領域部ＳＲに誘導される（Ｌ５）。そして、特別領域部ＳＲに誘導された遊技球は通過検出スイッチ８ｔ（図２７を参照）によって検出され、通常領域部ＴＲに誘導された遊技球は通過検出スイッチ８ｎ（図２７を参照）によって検出される。
【０１６２】
ここで、回転誘導体２６ｂには３個の通常誘導用凹部２６１ｂと１個の特別誘導用凹部２６２ｂとが回転誘導体２６ｂの周方向に沿って等間隔に配置されているため、球導入部２６ｆに到達した遊技球が特別領域部ＳＲに誘導される確率は、「１／４」とされている。但し、第１の通過路形成部材（通過路）２４Ａを通過した遊技球が球導入部２６ｆに到達するためには特別吸着片２５ｖによって吸着されることが前提となる。このため、第１の通過路形成部材（通過路）２４Ａを通過した遊技球が、特別領域部ＳＲに誘導される確率は、「１／４」よりも更に小さくなる。
【０１６３】
中央装置２０に入球した遊技球が通過選択装置２３によって第２の通過路形成部材（通過路）２４Ｂに誘導されると（つまり、特別ルートＬＳに誘導されると）、特別誘導溝２８ｐ、球導入部２６ｆを経て、通常誘導用凹部２６１ｂ及び特別誘導用凹部２６２ｂのうちの何れかに進入する。このように、第２の通過路形成部材（通過路）２４Ｂに誘導される遊技球は、直接（第２の誘導装置２６を経由せずに）、球導入部２６ｆに到達するため、この遊技球が特別領域部ＳＲに誘導される確率は、「１／４」となる。
【０１６４】
本実施例では、遊技球が中央装置２０に入球すると、通過選択装置２３によって、この遊技球を特別領域部ＳＲを通過する確率が低い通常ルート（ＬＮ）に誘導するか、或いは、特別領域部ＳＲを通過する確率が高い特別ルート（ＬＳ）に誘導するかが選択されるため、遊技者の興趣が高められる。しかも、遊技球が通常ルート（ＬＮ）を通過した後、第２の誘導装置２６に進入する場合には、この遊技球が第２の誘導装置２６に進入するタイミングをランダムなものとすることができる。つまり、特別ルート（ＬＳ）を経て第２の誘導装置２６に進入する場合、遊技球が中央装置２０に入球するタイミングによって遊技球が第２の誘導装置２６に到達するタイミングが定まる。しかも、回転誘導体２６ｂの回転速度が一定であるため、遊技球が中央装置２０に入球するタイミングによって、この遊技球が特別領域部ＳＲを通過する否かが概ね定まる。
【０１６５】
一方、遊技球が、通常ルート（ＬＮ）を通過し、第２の誘導装置２６に進入する場合、「通常転動部ＮＴにおける転動時間の長短」、「遊技球が返還誘導部Ｎ１を通過する回数」、「特別転動部ＳＴにおける転動時間の長短」、等が不明である」等の理由で、「遊技球が特別吸着片２５ｖに吸着されるタイミング」を一義的に定めることができない。このため、遊技球が中央装置２０に入球するタイミングによっては、この遊技球が特別領域部ＳＲを通過する否かを定めることができない。
【０１６６】
ところで、本実施例の遊技機１では、第２の誘導装置２６、第１の誘導装置２５の順で不正行為の対象となり得ると考えられる。つまり、第２の誘導装置２６においては、例えば、回転誘導体２６ｂの近傍に到達した遊技球が、これから通常誘導孔２６ｇに進入しようとしているときに、ガラス板４３（特に、回転誘導体２６ｂの正面前方に位置する部位）、扉枠本体４１若しくは上皿部材５等に「不正な振動や不正な磁力を与え、当該遊技球を特別誘導用凹部２６２ｂに無理に進入させようとする不正行為がなされる可能性がある。
【０１６７】
また、第１の誘導装置２５においては、例えば、通常転動部ＮＴを転動する遊技球が「第１の通常誘導部ＮＹ１」を転動して通常領域部ＴＲに誘導されようとしているときに、ガラス板４３（特に、第１の誘導装置２５の正面前方に位置する部位）、扉枠本体４１若しくは上皿部材５等に「不正な振動」を与え、当該遊技球を通常吸着部Ｘに無理に吸着させようとする不正行為がなされる可能性がある。更に、第１の誘導装置２５においては、例えば、特別転動部ＳＴを転動する遊技球が、「第２の通常誘導部ＮＹ２」を転動して通常領域部ＴＲに誘導されようとしているときに、ガラス板４３（特に、第１の誘導装置２５の正面前方に位置する部位）、扉枠本体４１若しくは上皿部材５等に「不正な振動」等を与え、当該遊技球を特別吸着部Ｚに無理に吸着させようとする不正行為がなされる可能性がある。
【０１６８】
特に、本実施例では、第２の誘導装置２６を利用した振り分けのみならず、第１の誘導装置２５を利用したより複雑な振り分け（受入転動部Ｅでの転動、返還誘導部Ｎ１での転動での転動、移送ローラ装置２５ｂでの吸着、回転誘導体２６ｂでの回転等を利用したより複雑な振り分け）を多数回行うため、不正行為の対象なり易くなっている。つまり、遊技機１が実行する振り分け演出が複雑化・多様化すると、遊技者の興趣を高められる反面、不正行為者の格好のターゲットになり易い。但し、本実施例では不正検出装置（検出装置本体１００及び主制御部２００Ａとによって構成される。）は、これらの不正行為を防止する上で有効である。尚、本実施例では第２の誘導装置２６の近傍に検出装置本体１００を配設する態様を例示したが、第１の誘導装置２５の近傍、通過選択装置２３の近傍、入球口２９Ａ、２９Ｂの近傍等に検出装置本体１００を配設することもできる。
【０１６９】
図５に戻り、普通図柄作動ゲート（普通図柄作動口）１６Ａ、１６Ｂは、遊技領域１１において中央装置２０の下方に位置する部位に配設されている。また、この普通図柄作動ゲート（普通図柄作動口）１６Ａ、１６Ｂには普通図柄作動ゲート通過検出用スイッチ１６ｓ、１６ｓ（図２７参照）が配設されている。そして、普通図柄作動ゲート通過検出用スイッチ１６ｓを遊技球が通過することを前提に、「普通図柄の変動開始条件（つまり、普通図柄変動開始条件）」が成立すると、第１の表示装置６０において普通図柄の変動表示（具体的は、普通図柄用のランプ装置の点滅表示）を開始する。そして、普通図柄の変動開始後、所定の変動時間を経過すると、普通図柄の確定表示（点灯、若しくは、消滅）がなされる。そして、普通図柄の当り表示（点灯表示）がなされると、普通電動役物１７ｄ（後述する。）が所定時間（例えば、０．５秒）開放駆動される。
【０１７０】
図５に示すように、始動入賞装置１７は、遊技領域１１において中央装置２０の中央部の直下に配設され、始動入賞装置１８は、遊技領域１１において中央装置２０の左斜め下方に配設され、始動入賞装置１９は遊技領域１１において中央装置２０の左斜め下方に配設されている。このうち、始動入賞装置１７の入口側部分には、普通電動役物１７ｄが配置されている。この普通電動役物１７ｄは、いわゆるチューリップ式で左右に一対の翼片部が開閉するべく形成されている。つまり、この一対の翼片部を作動させるための普通電動役物ソレノイド１７ｃ（図２７参照）を備えている。そして、この一対の翼片部が左右に開くと、遊技球の入球可能性が大きくなる開放状態となり、一対の翼片部が立設され、遊技球の入球可能性が小さくなる通常状態となる。尚、その他の始動入賞装置１８、１９は、入球可能性を変化させることができない、通常形式の入賞装置である。
【０１７１】
各始動入賞装置１７、１８、１９の内部には、遊技球の通過を検出する始動入賞検出用スイッチ１７ｓ、１８ｓ、１９ｓ（図２７参照）が配設されている。但し、全ての始動入賞装置１７、１８、１９に入賞した遊技球を、同一の通路（図示を省略）に導き、この通路の経路途中に配設された共通の「始動入賞検出用スイッチ」を配設してもよい。
【０１７２】
図５に示すように、下部装置３０は、始動入賞装置１７の下方に配設されている。この下部装置３０は、可変入賞装置（大入賞装置）３１によって構成されている。この可変入賞装置３１は、遊技盤１０の前面部に装着された取付板部３１ｋを備える。この取付板部３１ｋは、略中央部において平面形状が略帯状の開口部を表裏を貫通する状態に備え、この開口部によって大入賞口３１ａを構成している。また、取付板部３１ｋの背後には、大入賞口３１ａから入賞する遊技球を通過させるための「大入賞口入賞通路（図示を省略）」が設けられている。
【０１７３】
そして、可変入賞装置（大入賞装置）３１は、この大入賞口３１ａを開放・閉鎖するための開閉板３１ｂと、この開閉板３１ｂを駆動するための大入賞口ソレノイ３１ｃ（図２７参照）と、大入賞口入賞通路の経路途中若しくは経路端末部に設けられた入賞球検出用スイッチ３１ｓ（図２７参照）と、を備えている。この可変入賞装置（大入賞装置）３１は、開閉板３１ｂが起立姿勢となると、この開閉板３１ｂが大入賞口３１ａを閉鎖するため、可変入賞装置（大入賞装置）３１への遊技球の入賞が不可能となる。一方、開閉板３１ｂが、その下端部を支点に前方に傾動して前傾姿勢となると、大入賞口３１ａを開放されると共に、開閉板３１ｂの後面部（背面部）が遊技領域１１を流下し、可変入賞装置（大入賞装置）３１へ到達した遊技球を大入賞口３１ａに誘導する誘導部を構成する。
【０１７４】
保留図柄表示装置５０は、図６に示すように、頂壁部２１ｆの下端側に一体化され、左側に配置される特別図柄保留表示部５１と、右側に配置される普通図柄保留表示部５２とを備えている。このうち、特別図柄保留表示部５１は、図２３（ａ）に示すように、２個のＬＥＤ５１ａ、５１ｂを用いて構成され、所謂「特別図柄に関する保留数」を４個を上限として表示するものである。つまり、「始動入賞装置１７、１８、１９に入賞したが、未だ、未消化の遊技球の個数（即ち、保留数）」を、４個上限数として表示すると共に未消化の遊技球が消化される毎に、「未消化の遊技球の個数（即ち、保留数）」を順次、デクリメントして表示するものである。ここで、特別図柄に関する「未消化の遊技球（つまり、保留球）」とは、始動入賞装置１７、１８、１９に入賞したが、後述する特別図柄表示部５１において、当該通過に伴う当否判定の結果の表示（判定結果図柄の確定表示）と、これに先行する変動表示とがなされていない遊技球を指す。
【０１７５】
尚、本実施例では、「遊技球が、普通図柄作動ゲート（普通図柄作動口）１６Ａ、１６Ｂを通過すること条件に主制御部２００Ａによって実行される判断、つまり、普通電動役物１７ｄを開放状態とすべきか否かの判断を、「当否抽選」と称する。また、「遊技球が始動入賞装置１７に入賞すること条件に主制御部２００Ａによって実行される判断」、即ち、「可変入賞装置（大入賞装置）３１の開放を許容するか否かの判断」、つまり、「遊技機の遊技状態を、可変入賞装置３１を閉鎖状態に維持する通常遊技状態から可変入賞装置３１の開閉を行う特別遊技状態（大当たり遊技状態）にすべきか否かの判断」を「当否判定」と称する。
【０１７６】
普通図柄保留表示部５２は、図２３（ａ）に示すように、２個のＬＥＤ５２ａ、５２ｂを用いて構成され、所謂「普通図柄に関する保留数」を４個を上限として表示するものである。つまり、「普通図柄作動ゲート（普通図柄作動口）１６Ａ、１６Ｂを通過したが、未だ未消化の遊技球の個数（即ち、保留数）」を、４個上限数として表示すると共に、未消化の遊技球が消化される毎に「未消化の遊技球の個数（即ち、保留数）」を、順次、デクリメントして表示するものである。ここで、普通図柄に関する「未消化の遊技球（つまり、保留球）」とは普通図柄作動ゲート（普通図柄作動口）１６Ａ、１６Ｂを通過したが、後述する普通図柄表示部５２において、当該通過に伴う当否抽選の結果の表示（抽選結果図柄の確定表示）と、これに先行する変動表示（本実施例ではＬＥＤを用いて点滅表示）とがなされていない遊技球を指す。
【０１７７】
特別図柄保留表示部５１及び普通図柄保留表示部５２においては、同様な態様で、保留数の表示を行う。つまり、図２３（ｂ）に示すように、２個ＬＥＤを消灯させることで、「保留数」が「ゼロ個」であることを示す。また、１個のＬＥＤを点灯させ、１個のＬＥＤを消灯させることで、「保留数」が「１個」であることを示す。更に、２個のＬＥＤを点灯させることで、「保留数」が「２個」であることを示す。また、１個のＬＥＤを点滅させ、１個ＬＥＤを点灯させることで、「保留数」が「３個」であることを示す。更に、２個のＬＥＤを点滅させることで、「保留数」が「４個」であることを示す。
【０１７８】
第１の表示装置６０は、図６に示すように、右側庇部２１ｅに一体化されている。この第１の表示装置６０は、図２４（ａ）に示すように、遊技状態表示部６２と、特別図柄表示部６３と、普通図柄表示部６５とを備えている。このうち、遊技状態表示部６２は１個のＬＥＤを用いて構成され、遊技機１の現在の遊技状態を表示するために用いられる。つまり、図２４（ｂ）に示すように、１個のＬＥＤを消灯させることで、「遊技機１の現在の遊技状態が通常遊技状態である」旨が表示される。また、ＬＥＤを「赤色で点灯すること」で「遊技機１の現在の遊技状態が３ラウンド大当り中（後述する。）である」旨が表示される。更に、ＬＥＤを「緑色で点灯すること」で、「遊技機１の現在の遊技状態が、８ラウンド大当り中（後述する。）である」旨が表示され、ＬＥＤを「青色で点灯すること」で、「遊技機１の現在の遊技状態が１６ラウンド大当り中（後述する。）である」旨が表示される。
【０１７９】
普通図柄表示部６５は１個のＬＥＤを用いて構成され、前述の如く、「普通図柄作動ゲート（普通図柄作動口）１６Ａ、１６Ｂに伴う当否抽選の結果の表示」を変動表示（本実施例ではＬＥＤを用いて点滅表示）を経て実行する。つまり、この「当否抽選に関する結果の表示に、先行する変動表示」の実行時期が到来すると、普通図柄表示部６５は点滅表示を開始する。そして、「当否抽選に関する結果の表示」の実行時期が到来すると（換言すると、普通図柄の変動時間を終了すると）、普通図柄表示部６５を用いて「当否抽選に関する結果」の確定表示がなされる。具体的には、図２５（ｃ）に示すように、ＬＥＤを点灯状態とすることで、当該「当否判定に関する結果」が当り（普通図柄に関する当否抽選の結果が当り）であることが確定表示され、ＬＥＤを消灯状態とすることで、当該「当否抽選に関する結果」が外れ（普通図柄に関する当否抽選の結果が当り）であることが確定表示される。尚、当該「当否抽選に関する結果」が当り（普通図柄に関する当否抽選の結果が当り）である場合には、前述のように、普通電動役物１７ｄ（後述する。）が所定時間（例えば、０．５秒）開放駆動される。
【０１８０】
本実施例では、このように、ＬＥＤを点灯状態としたり、消灯状態とすることで、普通図柄の確定表示を示し、ＬＥＤを点滅状態とすることで、普通図柄の変動表示を示す。つまり、ランプ装置による点灯表示と消灯表示と点滅表示とを用いて、普通図柄の表示を行う。但し、本実施例においては、数字（例えば、１〜９の数字）、アルファベット文字、図形等を用いて普通図柄や、後述する特別図柄の表示を行うこともできる。
【０１８１】
特別図柄表示部６３は、図２４（ａ）に示すように、略円弧状に配設された「４個のＬＥＤ６３ａ〜６３ｄ」を用いて構成され、「始動入賞装置１７、１８、１９への遊技球の入賞（以下、「始動入賞」という。）に伴う当否判定の結果の表示」を、変動表示（本実施例では、複数のＬＥＤを用いて点灯表示）を経て実行する。つまり、この「当否判定に関する結果の表示に、先行する変動表示」の実行時期が到来すると、図２４（ａ）に示すように、特別図柄表示部６３は、「４個のＬＥＤ６３ａ〜６３ｄ」を順次、循環的に点灯させる。この変動表示（以下、「ＬＥＤ６３ａ〜６３ｄを用いた循環表示」という。）を実行し、「特別図柄に関する当否判定に関する結果の表示」の実行時期が到来すると、特別図柄表示部６３において特別図柄の確定表示が実行される。
【０１８２】
ここで、この特別図柄の確定表示の表示態様を、図２４（ｂ）を用いて説明する。先ず、全てのＬＥＤ６３ａ〜６３ｄが消灯状態とすることで、「当否判定の結果が外れであること」が示される。また、１個のＬＥＤ（例えば、６３ｂ）を点灯状態とし、残りの３個のＬＥＤ（例えば、６３ａ、６３ｃ、６３ｄ）を消灯状態とすることで、「当否判定の結果が小当り（後述する。）であること」が示される。更に、２個のＬＥＤ（例えば、６３ａ、６３ｂ）を点灯状態とし、残りの２個のＬＥＤ（例えば、６３ｃ、６３ｄ）を消灯状態とすることで、「当否判定の結果が、３ラウンド大当り（後述する。）であること」が示される。また、３個のＬＥＤ（例えば、６３ａ〜６３ｃ）を点灯状態とし、残りの１個のＬＥＤ（例えば、６３ｄ）を消灯状態とすることで、「当否判定の結果が、８ラウンド大当り（後述する。）であること」が示され、全てのＬＥＤ６３ａ〜６３ｄが点灯状態とすることで、「当否判定の結果が１６ラウンド大当り（後述する。）外れであること」が示される。
【０１８３】
第２の表示装置７０は液晶表示装置を用いて構成されると共に、収納ボックス２２の後方に装着されている（図９及び図１０を参照）。そして、その表示画面７１が、収納ボックス２２の背面部に設けられた表示窓（図示を省略）を介して、前方から視認可能とされている。この第２の表示装置７０の表示画面７１は可変状態に用いられ、その全体、若しくは、一部を用いて種々の図柄を表示可能である。この表示画面７１には種々の演出図柄（特別図柄表示部６３に表示される確定表示を、演出的に表示する図柄、リーチ演出、発展演出、キャラクタ表示等）を表示すること等が可能である。
【０１８４】
図５に示すように、２個の一般入賞装置４０、４１は、遊技領域１１において、中央装置２０の左側方に位置する部位に配設され、残りの２個の一般入賞装置４３、４４は、中央装置２０の右側方に位置する部位に配設されている。そして、各一般入賞装置４０、４１の内部には、遊技球の入賞を検出するための入賞検出用スイッチ４０ｓ、４１ｓ（図２７参照）が配設されている。
【０１８５】
図５に示すように、風車４６は中央装置２０を取り囲む４カ所に配置されている。また、多数の障害釘（図示を省略）は以上説明した各盤部品との位置バランスを考慮して遊技領域１１にパチンコ遊技に適するべく配設されている。尚、遊技盤１０の下方にはアウト口１８が設けられ、そのアウト口１８の下部にはバック球防止部材（図示を省略）が設けられている。そして、遊技領域１１に到達せず戻ってきた遊技球が再び発射位置に戻ることを防止している。一方、ファール球防止部材１５は内レール１３の先端部に取り付けられている。
【０１８６】
尚、本遊技機１では、前述のように、上皿部材５に操作スイッチＳＷを配設している。本実施例の遊技機１では、この操作スイッチＳＷを操作しても、遊技上の演出に変化を与えることはできないが、各発明においては、この操作スイッチＳＷを遊技上の演出に変化を与えるために用いることとしてもよい。例えば、第２の表示装置７０の表示画面７１で行われる表示に変更を加えるために用いることとしてもよい。
【０１８７】
ｅ．遊技機１の裏面構造
次に、本実施例の遊技機１の裏面構造について図２６を参照して説明する。つまり、遊技機１の裏面構造は大きな裏機構盤１０２の上に各種装置が搭載された構造となっており、裏機構盤１０２は一対のヒンジ１０３によって中枠３に開閉可能に軸支されている。
【０１８８】
裏機構盤１０２には遊技球が蓄えられる賞球タンク１０５と、賞球の払出を行う賞球払出装置１０９と、主制御部２００Ａを構成する主制御基板２００が格納された主制御基板ケースと、発射装置ユニットを制御する発射制御基板２６０が格納された発射装置制御基板ケース１３０と、賞球払出装置１０９を制御する払出制御基板２４０が格納された払出制御基板ケース１１８と、主制御基板２００と各種スイッチ類とを中継する中継端子板などが搭載されている。
【０１８９】
賞球タンク１０５には底部にタンクスイッチが設けられており、球切れを検出することができる。また、賞球タンク１０５と賞球払出装置１０９とは、タンクレール１０６によって接続されている。更に、図３６において、タンクレール１０６の右側には球抜きレバーが設けられ、タンクレール１０６の下流側には補給球切れ検知スイッチが設けられている。
【０１９０】
また、賞球払出装置１０９の下流側には、遊技球の振り分け部が設けられている。尚、図３６は、図示が煩雑となることを避けるために、振り分け部の表示は省略されている。
【０１９１】
主制御基板ケース、中継端子板や、払出制御基板ケース１１８等の各種基板類は、裏機構盤１０２に回動自在に懸架された図示しない金属板に、着脱自在に装着されている。
【０１９２】
裏機構盤１０２の右上端部には、ヒューズボックス、電源スイッチ、電源ターミナル基板１３２及び大当り、発射装置制御、球切れ、扉開放、賞球、球貸し用等の遊技機枠用外部接続端子を備えた中継端子板が設けられている。尚、電源ターミナル基板１３２には、ラムクリア信号を発生させるためのラムクリアスイッチ１３２ａが接続されている。また、中継端子板の上側には、外部からの電力の供給を受けるための電源ケーブルも配設されている。更に、払出制御基板ケース１１８からは接続ケーブルが上方へ延出し、電源ケーブルを備えた球貸装置に接続されている。また、裏機構盤１０２の略中央下端部には下皿部材用球通路部材が設けられている。
【０１９３】
（２）制御回路の構成
次に、図２７〜図３１を用いて本実施例の遊技機１の制御回路の構成について説明する。本遊技機１の制御回路は、主制御部２００Ａと、複数の副制御部（２２０Ａ、２２２Ａ、２４０Ａ、２６０Ａ）とを含んで構成されている。つまり、主制御基板２００を用いて構成されると共に遊技の基本的な進行や大当りに関わる当否についての制御を司る主制御部２００Ａと、複数の副制御部（２２０Ａ、２２２Ａ、２４０Ａ、２６０Ａ）とを備えている。尚、本実施例では主制御部２００Ａによって「不正検出手段」を構成する態様を例示する。
【０１９４】
副制御部としては、（ａ）演出制御基板２２０を用いて構成されると共に、「図柄表示」、「ランプの発光」、「効果音」、「可動物の動作」、「演出表示装置２３の演出表示」等を用いた遊技の各種の演出の制御を司る演出制御部２２０Ａと、（ｂ）演出表示制御基板２２２を用いて構成されると共に第２の表示装置７０における演出用図柄（疑似図柄や背景図柄など）の表示制御を司る演出表示制御部２２２Ａと、（ｃ）払出制御基板２４０を用いて構成されると共に貸球や賞球を払い出す動作の制御を司る払出制御部２４０Ａと、（ｄ）発射制御基板２６０を用いて構成されると共に遊技球の発射に関する制御を司る発射制御部２６０Ａを備える。尚、副制御部には主制御部１４０に直に接続された第１次副制御部（２２０Ａ、２４０Ａ）と、この第１次副制御部を介して主制御部２００Ａに接続された第２次副制御部（２２２Ａ、２６０Ａ）とが存在する。
【０１９５】
これらの制御部（２００Ａ、２２０Ａ、２２２Ａ、２４０Ａ、２６０Ａ）を構成する制御基板（２００、２２０、２２２、２４０、２６０）は、各種論理演算および算出演算を実行するＣＰＵや、ＣＰＵで実行される各種プログラムやデータが記憶されているＲＯＭ、プログラムの実行に際してＣＰＵが一時的なデータを記憶するＲＡＭ、周辺機器とのデータのやり取りを行うための周辺機器インターフェース（ＰＩＯ）、ＣＰＵが演算を行うためのクロックを出力する発振器、ＣＰＵの暴走を監視するウォッチドッグタイマ、定期的に割り込み信号を発生させるＣＴＣ（カウンター・タイマ・サーキット）など、種々の周辺ＬＳＩがバスで相互に接続されて構成されている。尚、図２７〜図３１中の矢印の向きは、データあるいは信号を入出力する方向を表している。また、図２７においては、主制御基板２００に搭載されたＣＰＵ２０１、ＲＡＭ２０２、ＲＯＭ２０３のみ図示されており、主制御基板２００に搭載されているＰＩＯ、更には、他の制御基板に搭載されているＣＰＵや、ＲＡＭ，ＲＯＭなどについては図示を省略している。
【０１９６】
主制御部２００Ａ（主制御基板２００）は、普通図柄作動ゲート通過検出用スイッチ１６ｓ、入賞検出スイッチ２０ｓ、始動入賞検出用スイッチ１７ｓ、１８ｓ、１９ｓ、入賞球検出用スイッチ３１ｓ、４０ｓ、４１ｓ等から遊技球の検出信号を受け取って、遊技の基本的な進行や賞球に関わる当否を決定した後、演出制御部２００Ａ（演出制御基板２２０）や、払出制御部２４０Ａ（払出制御基板２４０）、発射制御部２６０Ａ（発射制御基板２６０）等に向かって、後述する各種のコマンドを出力する。また、主制御部２００Ａ（主制御基板２００）には、発射装置ユニットから発射された遊技球を検出するカウントスイッチ８ｓも接続されている。更に、前述の「検出装置本体１００」から出力される信号も、主制御部２００Ａ（主制御基板２００）に入力されている。
【０１９７】
主制御部２００Ａ（主制御基板２００）は、普通電動役物ソレノイド１７ｃや、大入賞口ソレノイド３１ｃ、保留表示装置５０、第１の表示装置６０、開閉ソレノイド２７ｃ等に信号を出力することにより、これらの動作を直接制御している。
【０１９８】
演出制御部２２０Ａ（演出制御基板２２０）は、主制御部２００Ａ（主制御基板２００）からの各種コマンドを受け取ると、コマンドの内容を解析して、その結果に応じた遊技の演出を行う。即ち、第２の表示装置（液晶表示装置）７０を駆動する演出表示制御基板２２２やスピーカＳＰ１〜ＳＰ４を駆動するアンプ基板２２４が接続されている。
【０１９９】
演出制御部２２０Ａ（演出制御基板２２０）は各種ＬＥＤランプ４ｂ〜４ｆ等を駆動する飾駆動基板２２６に駆動信号を出力することにより、遊技の演出を行う。尚、操作スイッチＳＷからの操作信号は演出ボタン基板２２８を介して、演出制御部２２０Ａ（演出制御基板２２０）に入力される。また、演出制御部２２０Ａ（演出制御基板２２０）の詳細な入出力関係については後述する。
【０２００】
払出制御部２４０Ａ（払出制御基板２４０）は所謂、貸球や賞球の払い出しに関する各種の制御を司っている。例えば、遊技者が上皿部５に設けられた球貸スイッチ５ｅや返却スイッチ５ｆを操作すると、この信号は、球貸表示基板２４２から中継端子板を介して、球貸装置に伝達される。この球貸装置は、払出制御部２４０Ａ（払出制御基板２４０）とデータをやり取りしながら、貸球の払出を行う。
【０２０１】
主制御部２００Ａ（主制御基板２００）が賞球の払出コマンドを出力すると、このコマンドを払出制御部２４０Ａ（払出制御基板２４０）が受け取って、払出モータ１０９ｍに駆動信号を出力することによって賞球の払い出しが行われる。また、払い出された賞球は、２つの払出スイッチ（前側払出スイッチ１０９ａ、後ろ側払出スイッチ１０９ｂ）によって検出されて、払出制御部２４０Ａ（払出制御基板２４０）に入力される。更に、払い出された賞球数はカウントスイッチ１０９ｃによっても検出されて主制御部２００Ａ（主制御基板２００）でも計数されている。
【０２０２】
賞球タンク１０５に設けられたタンクスイッチ１０４からの信号や、賞球タンク１０５に供給する遊技球が蓄えられる図示しない外部タンクに設けられた外部タンクスイッチ７ｓからの信号も、払出制御部２４０Ａ（払出制御基板２４０）に入力されている。このため、払出制御部２４０Ａ（払出制御基板２４０）は、球切れのため賞球の払い出しができなくなる前に、前述したエラーＬＥＤ４ｇ，４ｈによって異常を報知することが可能となっている。
【０２０３】
下皿部６に設けられた下皿満タンスイッチ６ｓからの信号も払出制御部２４０Ａ（払出制御基板２４０）に入力されている。このため、下皿部６が遊技球で一杯となった場合にも、下皿満タンスイッチ６ｓで検出された信号を受けて、払出制御部２４０Ａ（払出制御基板２４０）が賞球の払い出しを一時的に停止することが可能となっている。
【０２０４】
加えて、「ガラス扉枠スイッチ４ｓ」から出力される検知信号（ガラス扉枠４が開放動作を行ったことを示す検知信号）も、払出制御部２４０Ａ（払出制御基板２４０）に入力されている。このため、何らかの理由でガラス扉枠４が明けられた場合には、賞球の払い出し、或いは、遊技球の球貸し等の動作を中止することが可能となっている。
【０２０５】
また、払出制御部２４０Ａ（払出制御基板２４０は、主制御部２００Ａ（主制御基板２００からの制御の下で遊技球の発射を許可する信号（発射許可信号）を発射制御部２６０Ａ（発射制御基板２６０）に向かって出力している。そして、発射制御部２６０Ａ（発射制御基板２６０）は、この発射許可信号を受けて、後述するように、遊技球を発射するための各種制御を行っている。
【０２０６】
主制御部２００Ａ（主制御基板２００）には遊技機に関する情報（信号）を、遊技機１の外部に出力するための外部端子部（外部出力用端子基板）２００Ｇが接続されている。この外部端子部２００Ｇから出力される情報（信号）としては、大当り情報（大当り信号）、確率変動情報（確率変動信号）、賞球情報（賞球信号）等の遊技状態を示す情報（信号）を例示できる。そして、これらの情報（信号）はホールコンピュータＨＰＣに送信され、「不正行為の監視」や「パチンコホールにおける営業上の集計」等のために利用される。
【０２０７】
尚、前述の「ガラス扉枠スイッチ４ｓ」は中継端子板２８０を介して払出制御部２４０Ａ（払出制御基板２４０）に接続されている。しかも、払出制御部２４０Ａ（払出制御基板２４０）と主制御部２００Ａ（主制御基板２００）とが双方向通信可能な状態に接続されている。このため、「ガラス扉枠スイッチ４ｓ」から出力される検知信号（ガラス扉枠４に開放動作が施されたことを示す検知信号）は、中継端子板２８０と、払出制御部２４０Ａ（払出制御基板２４０）とを介して、主制御部２００Ａ（主制御基板２００）に送信される。
【０２０８】
「検出装置本体１００」は中継端子板２８１を介して主制御部２００Ａ（主制御基板２００）に接続されているため、この「検出装置本体１００」から出力される信号は中継端子板２８１を介して主制御部２００Ａ（主制御基板２００）に送信される。
【０２０９】
つまり、図３０に示すように、揺動部材１０３に接続される配線Ｓ１の入力端子ＶＣＣには所定の電圧（５Ｖ）が印可されている。また、第１の固定接点形成用部材１０１及び第２の固定接点形成用部材１０２の双方に一端部が接続される配線Ｓ２の他端部はグランドライン（ＧＮＤ）に接続され、この配線Ｓ２の中間部ＳＣから中継端子板２８１に延びる配線Ｓ３が分岐されている。そして、この配線Ｓの端末が中継端子板２８１に接続されているため、検出装置本体１００は中継端子板２８１を介して主制御部２００Ａ（主制御基板２００）に接続された状態となっている。また、配線Ｓ２の中間部ＳＣとグランドライン（ＧＮＤ）との間には抵抗器１００Ｔが介在されている。
【０２１０】
この「検出装置本体１００」においては、揺動部材１０３に外力（振動力、磁力）が負荷されていない通常時に、揺動部材１０３は第１の固定接点形成用部材１０１及び第２の固定接点形成用部材１０２と非接触で、しかも導通しない状態に配置される。よって、配線Ｓ１と配線Ｓ２とが導通せず、配線Ｓ３の電位がグランドライン（ＧＮＤ）と同じになるため、中継端子板２８１介して主制御部２００Ａ（主制御基板２００）に入力される信号（導通信号）は「Ｌレベル（ローレベル）」となる。
【０２１１】
一方、揺動部材１０３に外力（振動力、磁力）が負荷され、図３１に示すように、揺動部材１０３はその上端部１０３ａを支点として前後に揺動（振り子運動）して揺動部材１０３の下端部１０３ｂが「第１の固定接点部１０１Ｓ」若しくは「第２の固定接点部１０１Ｓ」に当接すると、配線Ｓ１と配線Ｓ２とが導通する。これにより、配線Ｓ３の電位が入力端子ＶＣＣと同じになるため、中継端子板２８１介して主制御部２００Ａ（主制御基板２００）に入力される信号（導通信号）は「Ｈレベル（ハイレベル）」となる。これによって、主制御部２００Ａ（主制御基板２００）は「不正行為の発生（不正発生）」を検出することができる。
【０２１２】
このように、「不正検出手段としての主制御部２００Ａ（主制御基板２００）」が「不正行為の発生（不正発生）」を検出すると、主制御部２００Ａ（主制御基板２００）は報知信号発信手段として機能する。つまり、主制御部２００Ａ（主制御基板２００）から出力される報知信号が外部端子部（外部出力用端子基板）２００Ｇを経てホールコンピュータＨＰＣに送信される。これにより、「パチンコホール」において遊技盤１０に予定外の振動（不正な振動）若しくは予定外の磁力（不正な磁力）を生じた旨を把握できる。また、この報知信号は演出制御部２２０Ａ（演出制御基板２２０）にも送信され、演出制御部２２０Ａ（演出制御基板２２０）は、この報知信号を受信すると、第２の表示装置７０（液晶表示装置）の表示画面７１で「警告表示」を行うと共に、スピーカＳＰ１〜ＳＰ４から警告音を出力する。更に、前述のＬＥＤ基板４ｂ〜４ｈを構成するＬＥＤランプが点灯し、不正行為の発生の「視覚的な報知」を行う。
【０２１３】
次に、演出制御部２２０Ａ（演出制御基板２２０）に対する信号或いはコマンドの入出力関係について説明する。前述のように、演出制御部２２０Ａ（演出制御基板２２０）には、演出表示制御基板２２２と、アンプ基板２２４、装飾駆動基板２２６、演出ボタン基板２２８などの各種基板が接続されている。
【０２１４】
演出制御部２２０Ａ（演出制御基板２２０）は、前述のように、主制御部２００Ａ（主制御基板２００）から各種の演出用のコマンドを受け取ると、コマンドの内容を解釈して、（ａ）第２の表示装置（液晶表示装置）７０での具体的な表示内容や、（ｂ）スピーカＳＰ１〜ＳＰ４で出力する効果音、更には、（ｃ）各種ＬＥＤやランプ類４ｂ〜４ｆの点灯若しくは点滅の具体的な態様を決定する。次いで、第２の表示装置（液晶表示装置）７０の駆動信号（各種の図柄制御コマンド）を演出表示制御部２２２Ａ（演出表示制御基板２２２）に出力して、演出用図柄の変動停止表示を行う。このとき、表示されるキャラクタ図柄や背景図柄などの一部データについては、第２の表示装置（液晶表示装置）７０、或いは、演出表示制御基板２２２に内蔵された演出表示ＲＯＭ２７ｒに格納されているデータを使用する。
【０２１５】
また、疑似図柄の変動停止表示に合わせて、音声信号をアンプ基板２２４に出力することによってスピーカＳＰ１〜ＳＰ４から効果音を出力する。加えて、装飾駆動基板２２６に信号を供給し、装飾駆動基板２２６から各種ＬＥＤ、ランプ類４ｂ〜４ｆ等の駆動信号を出力することによって、各種ＬＥＤやランプ類の点灯・点滅動作等を制御する。更に、上皿部５の前面側に設けられた操作スイッチＳＷを遊技者が操作すると、この操作信号が演出制御部２２０Ａ（演出制御基板２２０）に供給される。そして、演出制御部２２０Ａ（演出制御基板２２０）は、供給された操作信号に基づいて第２の表示装置（液晶表示装置）７０を初めとする各種の演出内容に操作結果を反映させることが可能に構成されている。
【０２１６】
（３）遊技の要点
次に、本実施例の本実施例の遊技機１で行われる遊技の要点について、図３２等を用いて簡単に説明する。
【０２１７】
「始動入賞に伴う当否判定の結果の表示」の実行時期が到来すると、前述のように、図２５（ａ）に示すように、特別図柄表示部６３において変動表示を実行する。そして、「特別図柄に関する当否判定に関する結果の表示」の実行時期が到来すると、特別図柄表示部６３において特別図柄の確定表示が実行される。
【０２１８】
この特別図柄の確定表示により、「当否判定の結果が外れである」旨が表示されると、遊技機の遊技状態は通常状態に維持され、大入賞口３１ａ、及び、入球口２９Ａ、２９Ｂは閉鎖状態のままとされる。
【０２１９】
また、特別図柄の確定表示により、「当否判定の結果が大当りである」旨が表示されると、特別遊技移行手段（主制御部２００Ａ）は遊技機の状態を特別遊技状態に移行させる。これにより、大入賞口３１ａを所定回数だけ、開放状態とする「大当り遊技」が実行される。つまり、この大当り遊技を開始すると、開閉板３１ｂ（開閉部材）に「単位駆動」が所定回数だけ施される。この「単位駆動」は、開閉板３１ｂ（開閉部材）の姿勢を、大入賞口３１ａを閉鎖する姿勢（以下、「閉鎖姿勢」という。）から、大入賞口３１ａを開放する姿勢（以下、「開放姿勢」という。）に移行させ、この開放姿勢を第１の時間（例えば、２０秒〜３０秒から選択される時間）維持した後、この開閉板３１ｂ（開閉部材）の姿勢を、閉鎖姿勢に戻すことで構成される「開閉板３１ｂ（開閉部材）の開閉動作）」によって構成される。
【０２２０】
この「単位駆動」が所定のインターバル時間を挟みつつ所定回数実行されると、特別遊技移行手段（主制御部２００Ａ）は遊技機の状態を特別遊技状態から通常遊技状態に戻す。尚、本実施例では、この大当りとして「大入賞口３１ａを３回開放することを内容とする大当り（３ラウンド大当り）」と、「大入賞口３１ａを８回開放することを内容とする大当り（８ラウンド大当り）」と、「大入賞口３１ａを１６回開放することを内容とする大当り（１６ラウンド大当り）」とを実行できる。
【０２２１】
更に、特別図柄の確定表示により、「当否判定の結果が小当りである」旨が表示されると、開放動作実行条件が成立し、小当り遊技が実行される。この小当り遊技では所定の動作パターンに従って開閉部材２７Ａ、２７Ｂが開放動作を実行する。この動作パターンは「開閉部材２７Ａ、２７Ｂの姿勢を短時間（例えば、０．４秒間）の間、開放姿勢とすることを、１回若しくは３回行うこと」を、内容とするものであり、これにより、入球口２９Ａ、２９Ｂは短時間（例えば、０．４秒間）の間、開放状態とされる。このとき、中央装置２０に遊技球が入球し、更に、この遊技球が通常領域部ＴＲを通過すると、「外れ」となり、特別遊技移行手段（主制御部２００Ａ）は遊技機の状態を通常遊技状態に維持する。
【０２２２】
一方、中央装置２０に遊技球が入球し、更に、この遊技球が所定の有効期間内に特別領域部ＳＲを通過すると、「大当り」となり、特別遊技移行手段（主制御部２００Ａ）は遊技機の状態を特別遊技状態に移行させる。この「大当り」にも、「３ラウンド大当り」と、「８ラウンド大当り」と、「１６ラウンド大当り」と存在するが、小当り遊技から移行する大当り遊技においては「そのまま通常遊技状態から特別遊技状態に移行して実行される大当り遊技」に比べてラウンド数（大入賞口３１ａの開放回数）を１回分減じた状態で実行される。つまり、「３ラウンド大当り」に関わる大当り遊技を実行する場合、大入賞口３１ａが２回開放され、「８ラウンド大当り」に関わる大当り遊技を実行する場合、大入賞口３１ａが７回開放され、「１６ラウンド大当り」に関わる大当り遊技を実行する場合、大入賞口３１ａが１５回開放される。
【０２２３】
ここで、「有効時間」は羽根物型の遊技機（特に、「純粋振分タイプの遊技機」や「融合タイプの遊技機」）において不正行為の防止等を意図して設定される期間であり、当該「有効時間」外に「特別領域部ＳＲを遊技球が通過したこと」を検出しても、特別遊技移行手段は当該遊技機の遊技状態を特別遊技状態に移行させることはない。この「有効時間」の「始期」は種々選択でき、例えば、「開閉部材２７Ａ、２７Ｂの開放動作の開始時」等を例示できる。また、有効時間の長さは、通常「数秒」を例示できる。例えば、１０秒以下の時間（ゼロ秒を含まない。）であって、特に５〜１０秒から選択される時間を例示できる。
【０２２４】
尚、この具体例において「複数回の開放を行う動作パターン」に従って開閉部材の開放動作を行う場合、この「有効時間」を「最先の開放を行う時点」に開始させる態様を例示できる。また、「複数個の遊技球が連続的に中央装置２０に入球し、しかもこれらの複数個の遊技球が、有効時間内に特別領域部を連続的に通過した場合」等においては、一般に「後続する特別領域部ＳＲの通過」は「遊技機の遊技状態を特別遊技状態に移行させる契機」とはならない（つまり、特別遊技移行手段によって無視される。）。蓋し、「検出手段による最先の遊技球の検出」によって「特別遊技移行手段が遊技機の遊技状態を特別遊技状態に移行させるための条件」が成立しているからである。
【０２２５】
また、本実施例の遊技機１は「特別領域部ＳＲを通過する遊技球を検出するための検出手段」と「開閉部材２７Ａ、２７Ｂが開放動作を開始したときに、時間の計測を開始する時間計測手段」と「時間計測手段が所定の有効時間内の時間を計測しているときに、検出手段が特別領域部ＳＲを遊技球が通過したことを検出すること条件に遊技機１の遊技状態を特別遊技状態に移行させる特別遊技移行手段」とを備えてもよい。
【０２２６】
（４）実施例１の効果
実施例１の遊技機１では振動が加えられると、揺動部材１０３が揺動して「第１の固定接点部１０１Ｓ」若しくは「第２の固定接点部１０２Ｓ」に当接して固定接点部１０１Ｓ（１０２Ｓ）と揺動部材１０３とが導通する。また、遊技機１の前面部等に磁石（永久磁石等）を近づけた場合も、磁石（永久磁石等）からの引力により揺動部材１０３が揺動して「第１の固定接点部１０１Ｓ」若しくは「第２の固定接点部１０２Ｓ」に当接し、固定接点部１０１Ｓ（１０２Ｓ）と揺動部材１０３とが導通する。そして、これらの導通を主制御部（不正検出手段）２００Ａが検出することを介して、遊技機に「振動力」若しくは「磁力」が負荷されたことが検出される。
【０２２７】
つまり、実施例１の遊技機１によると、「振動」と「磁気」という「本来、全く異質の現象」を、同一の「不正対策構造（不正対策用装置）」に生ずる同一の現象に置き換えて検出可能である。つまり、「揺動部材１０３が揺れて固定接点部１０１Ｓ（１０２Ｓ）に当接し、固定接点部１０１Ｓ（１０２Ｓ）と揺動部材１０３とが導通とする」という同一の現象を介して検出可能である。従って、本実施例によると、「振動」と「磁気」を検出するための別々の「不正対策構造（不正対策用装置）」を用いる必要がない。
【０２２８】
また、実施例１では、「振動」及び「磁気」の検出が「同一の物理量（電気的な物理量）」の変化（ＯＮ・ＯＦＦ）を検出することを介して行われるため、「振動」の検出によって得られる情報を処理するための手段と、「磁気」の検出によって得られる情報を処理するための手段とを別個に備える必要がない。
【０２２９】
つまり、不正検出手段としての主制御部２００Ａ（主制御基板２００）」において「振動を検出するための専用の回路」と、「磁気を検出するための専用の回路」とを併存させることが必要とならない。また、不正検出手段としての主制御部２００Ａ（主制御基板２００）」を構成する記憶手段（ＲＯＭ２０３）に「振動を検出するための専用のプログラム」と、「磁気を検出するための専用のプログラム」とを併存して格納することも必要とならない。従って、実施例１の発明の不正対策構造によると、空きスペースを徒に狭めたり、製造コスト高を招くことなく、代表的な不正行為（「ドツキ」及び「磁石ゴト」）を的確に防止できる遊技機１を得ることができる。
【０２３０】
尚、本「検出装置本体１００」の装着対象となる盤部品は、本実施例に示す中央装置２０に限定されない。例えば、図３３に示す遊技盤１０を具備する遊技機においては、（ａ）中央装置２０以外の入賞装置（始動入賞装置１７、大入賞装置３１等）、（ｂ）作動ゲート１６Ａ、１６Ｂ、（ｃ）装飾用ランプ装置１８Ｒ、１８Ｌ等の装飾部品、（ｄ）証紙台１８Ｓ、等の各種盤部品のうちの１つ若しくは２つ以上を例示することができる。尚、図３３は「純粋セブン機タイプの遊技機」を構成する遊技盤１０を示している。
【０２３１】
ところで、盤部品は取付板を介して盤本体１０Ｈ（遊技盤１０）に装着される場合が多いが、この取付板に対して「検出装置本体１００」を装着することもできる。例えば、図３３の遊技盤１０では遊技領域１１内であってアウト口１８の左斜め上方の部位と右斜め上方の部位とに取付板１８Ｂ、１９Ｂを介して各々２個ずつの入賞装置（１８Ｄ、１８Ｅ、１９Ｄ、１９Ｅ）が装着されている。
【０２３２】
つまり、盤本体１０Ｈの前面部においてアウト口１８の左斜め上方には複数の盤部品（１８Ｂ、１８Ｄ、１８Ｅ）を備える複合型盤部品１８ＦＢが装着されている。また、盤本体１０Ｈの前面部においてアウト口１８の右斜め上方にも複数の盤部品（１９Ｂ、１９Ｄ、１９Ｅ）を備える複合型盤部品１９ＦＢが装着されている。尚、盤本体１０Ｈにおいて各複合型盤部品１８ＦＢ、１９ＦＢの背後に位置する部位には取付孔１０Ｊ、１０Ｋが設けられている。この取付孔１０Ｊ、１０Ｋは盤本体１０Ｈを前後に貫通する状態とされている（図３５を参照）。
【０２３３】
複合型盤部品１８ＦＢは、図３４（ａ）に示すように、外周が取付孔１０Ｊの外周よりも大きくされた略円弧状の取付板１８Ｂと、取付板１８Ｂに装着された２個の入賞装置１８Ｄ、１８Ｅとを備える。そして、図３５に示すように、取付板１８Ｂで取付孔１０Ｊを封止するようにしつつ、取付板１８Ｂが盤本体１０Ｈの前面部に固着されている。また、複合型盤部品１９ＦＢは、図３４（ｂ）に示すように、外周が取付孔１０Ｋの外周よりも大きくされた略円弧状の取付板１９Ｂと、取付板１９Ｂに装着された２個の入賞装置１９Ｄ、１９Ｅとを備える。そして、図３５に示すように、取付板１８Ｂ（１９Ｂ）で取付孔１０Ｊ（１０Ｋ）を封止するようにしつつ、取付板１８Ｂ（１９Ｂ）が盤本体１０Ｈの前面部に固着されている。
【０２３４】
以下、これらの複合型盤部品１８ＦＢ、１９ＦＢに検出装置本体１００を装着することを内容とする具体例（以下、「変形例１」という。）について説明する。つまり、この変形例１においては、図３４に示すように、各取付板１８Ｂ（１９Ｂ）の裏面部において、２個の入賞装置１８Ｄ、１８Ｅ（１９Ｄ、１９Ｅ）の間に位置する部位に検出装置本体１００が装着されている。これらの検出装置本体１００は、対応する取付孔１０Ｊ（１０Ｋ）内に納められている。
【０２３５】
この変形例１においても、実施例１と同様な効果の他に以下の効果を得ることができる。つまり、各検出装置本体１００が各々複数の入賞装置１８Ｄ、１８Ｅ（１９Ｄ、１９Ｅ）の間に配設され、複数の入賞装置１８Ｄ、１８Ｅ（１９Ｄ、１９Ｅ）を対象とする不正行為に対処できる。しかも、各検出装置本体１００が取付孔１０Ｊ、１０Ｋを利用し、盤本体１０Ｈに埋没する状態に配設される。従って、遊技機の限られた空き領域と、少ない数の検出装置本体１００を有効に利用しつつ、大きな効果（不正行為の防止）を得ることができる。
【０２３６】
Ｂ．実施例２
【０２３７】
次に、実施例２に係る遊技機について説明する。この実施例２の遊技機は、図３６に示すように、揺動部材１０３の下端部側に永久磁石１０３Ｅを配設した点を除いて実施例１の遊技機と同様である。
【０２３８】
実施例２においても、実施例１と同様、第１の固定接点部１０１Ｓと第２の固定接点部１０２Ｓとが前後方向に間隔を開けて対向する状態に配置されている。但し、実施例２においては揺動部材１０３の下端部側に装着孔１０３Ｈを設け、この装着孔１０３Ｈに永久磁石（前述の揺動磁石の具体例を構成する。）１０３Ｅを嵌合する。そして、この永久磁石１０３Ｅの「Ｓ極」を前方に向けた状態（第１の固定接点形成用部材１０１の後面部１０１Ｂと前後に対向する状態）に配置し、更に、この永久磁石１０３Ｅの「Ｎ極」を後方に向けた状態（第２の固定接点形成用部材１０２の前面部１０２Ｆと前後に対向する状態）に配置している。
【０２３９】
この実施例２によると、実施例１の効果に加えて以下の効果を得ることができる。つまり、実施例２に示す不正対策構造（不正対策装置）によると、不正行為の検出をより高精度に行うことができる。つまり、遊技機の前面部に磁石１１３が近づけられた場合に揺動部材１０３にはこの磁石１１３からの引力若しくは斥力が加わるため、揺動部材１０２は固定接点部１０１Ｓ（１０２Ｓ）に当接し易くなる。
【０２４０】
即ち、図３７（ａ）に示すように、「遊技機の前面部（ガラス板４３の前面部）に近づけられる磁石１１３の磁極」と「永久磁石１０３Ｅにおいて前方を向けられた磁極」とが同種の磁極であれば磁石１１３から揺動部材１０３に斥力が加わるため、揺動部材１０３が後方に揺動し易くなる。しかも、揺動部材１０３が後方に揺動し、第２の固定接点形成用部材１０２の前面部１０２Ｆとの距離が短くなると、「永久磁石１０３Ｅにおいて後方を向けられた磁極」がこの前面部１０２Ｆに吸着しようとする。従って、揺動部材１０３が、第２の固定接点形成用部材１０２の前面部１０２Ｆに当接し易くなるため、不正行為の検出をより高精度に行うことができる。
【０２４１】
一方、図３７（ｂ）に示すように、「遊技機の前面部に近づけられる磁石１１３の磁極」と「永久磁石１０３Ｅにおいて前方を向けられた磁極」とが異種の磁極であれば磁石１１３から揺動部材１０３に引力が加わるため、揺動部材１０３が前に揺動し易くなる。しかも、揺動部材１０３が前方に揺動し、第１の固定接点形成用部材１０１の後面部１０１Ｂとの距離が短くなると、「永久磁石１０３Ｅにおいて前方を向けられた極」がこの後面部１０１Ｂに吸着しようとする。従って、揺動部材１０３が、第１の固定接点形成用部材１０１の後面部１０１Ｂに当接し易くなるため、不正行為の検出をより高精度に行うことができる。
【０２４２】
Ｃ．実施例３
【０２４３】
次に、実施例３に係る遊技機について説明する。この実施例３の遊技機は、図３８及び図３９（ａ）に示すように、「検出装置本体１００」を盤本体１０Ｈに直付け固定した点と、「純粋セブン機タイプの遊技機」への適用例を示す実施例である点とが、前述した実施例と異なる。つまり、実施例３では、盤本体１０Ｈ（遊技盤１０）の裏面部に検出装置本体１００を装着している。また、検出装置本体１００は、始動入賞装置１７の両脇に位置する部位の背後とされている。
【０２４４】
実施例３においても、実施例１と同様な効果が得られる。また、実施例３では、「遊技の結果に大きな影響を与える始動入賞装置１７」の周囲に検出装置本体１００を配設しているため、より一層、不正行為を行い辛い遊技機を得ることができる。
【０２４５】
尚、実施例３では盤本体１０Ｈ（遊技盤１０）の裏面部に検出装置本体１００を装着する態様を例示したが、図３９（ｂ）に示す変形例２のように、盤本体１０Ｈ（遊技盤１０）にその裏面部で開口する凹部１０Ｌを設け、この凹部１０Ｌ内に検出装置本体１００を収納することもできる。この変形例２では、検出装置本体１００を盤本体１０Ｈ（遊技盤１０）に埋設するため、検出装置本体１００の設置スペースの一層の省スペース化を図ることができる。また、盤本体１０Ｈ（遊技盤１０の裏面部に装着される場合に比べると、凹部１０Ｌ内に収納される分だけ、検出装置本体１００とガラス板４３との距離が短くなるため、ガラス板４３前方からの「磁石ゴト」に確実に対処することができる。
【０２４６】
Ｄ．実施例４
【０２４７】
次に、実施例４に係る遊技機について説明する。この実施例４の遊技機は、図４０及び図４１に示すように、「検出装置本体１００」を上皿部材５に装着した点が実施例１と異なる。つまり、実施例４では、上皿部材５に取付用の空間部５Ｋを設け、この空間部５Ｋ内に検出装置本体１００を配設している。
【０２４８】
実施例４においても、実施例１と同様な効果の他に以下の効果を得ることができる。つまり、図４０及び図４２に示すように、実施例４の遊技機においては上皿部材５の上面部に「演出選択用の操作スイッチ（ボタン）ＳＷを備えている。この操作スイッチＳＷは「液晶表示装置（実施例４では図示を省略）」で行われる演出の態様を遊技者が選択するためのものであるが、遊技者の多くはこの操作スイッチＳＷを上方から叩いて操作する。そして、この操作スイッチＳＷの操作に伴って上皿部材５が振動することがある。
【０２４９】
かかる振動は遊技者の正当な行為に起因するものであるが、加速度センサ等を用いた従来型の「振動検出センサ」では、この振動に簡単に反応してしまう可能性がある。このため、従来型の「振動検出センサ」においてはスイッチ（ボタン）ＳＷ等による振動に反応しないように、その感度を意図的に低下させるのが一般的である。そして、感度を意図的に低下させた「振動検出センサ」によっては、巧妙な不正行為者による「ドツキ」、つまり、上皿部材５を細かく振動させる不正行為には十分に対処できない可能性がある。
【０２５０】
これに対して、実施例４の検出装置本体１００では、図４２に示すように、揺動部材１０３の揺動方向（前後方向）と、操作スイッチＳＷが叩かれる方向（上下方向）とが略直交するため、検出装置本体１００は操作スイッチＳＷの操作の影響を受け難くなっている。このため、実施例４によると、検出装置本体１００の精度を高め、「上皿部材５を細かく振動させる不正行為」にも十分に対処することができる。尚、本実施例では、上皿部材５に検出装置本体１００を装着する態様を例示したが、この検出装置本体１００をガラス扉枠４や下皿部材６等に装着することもできる。
【０２５１】
以上、本発明の実施の形態を説明したが、本発明はこれに限定されるものではなく、各請求項に記載した範囲を逸脱しない限り、各請求項の記載文言に限定されず、当業者がそれらから容易に置き換えられる範囲にも及び、かつ、当業者が通常有する知識に基づく改良を適宜付加することができる。
【０２５２】
即ち、各実施例及び各変形例では、不正検出手段を主制御部２００Ａで構成する態様を例示したが、この不正検出手段を副制御部（演出制御部２２０Ａ）等で構成してもよいし、主制御部２００Ａ及び副制御部（演出制御部２２０Ａ）以外で構成してもよい。例えば、図４３の変形例３に示すように、配線Ｓ２の中間部に不正検出手段（電流計等を利用した不正検出手段）２００Ｋを配設する。そして、不正検出手段２００Ｋと中継端子板２８１を結ぶ配線Ｓ３の途中に、不正検出手段２００Ｋによって検出される電流の値に基づいて制御信号を生成するコンバータ２００Ｌを配設してもよい。
【０２５３】
この変形例３では検出装置本体１００と不正検出手段２００Ｋとによって不正検出装置を構成する。そして、この不正検出装置を通常の遊技機（不正検出装置を備えない遊技機）に後付けすることで、代表的な不正行為（「ドツキ」及び「磁石ゴト」）を効率的に防止できる遊技機を得ることができる。
【０２５４】
また、各実施例及び各変形例では対面し合う一対の第一導電性磁性体部を別個の導電性磁性体（第１の固定接点形成用部材１０１及び第２の固定接点形成用部材１０２）で構成する態様を例示したが、図４４〜図４６に示す変形例４のように、単一の導電性磁性体で構成してもよい。
【０２５５】
この変形例４の検出装置本体１００は、図４４に示すように、固定接点形成用部材１０５と、軸受部材１０６と、揺動部材１０７とを備えている。このうち、固定接点形成用部材１０５は板状の一材の導電性磁性体を略山形状に屈曲させて構成されている。この固定接点形成用部材１０５は頂部１０５ａを起点として鋭角（例えば、５０度〜８０度うちの何れかの角度）を形成しつつ延設される一対の傾斜部１０５ｂ、１０５ｃを備えている。
【０２５６】
また、図４４に示すように、固定接点形成用部材１０５は、一方の傾斜部（以下、「前方傾斜部」という。）１０５ｂを前方に配し、他方の傾斜部（以下、「後方傾斜部」という。）１０５ｃを後方に配した状態で遊技機の所望の部位（盤部品、遊技盤１０、上皿部材５等）に設置される。そして、前方傾斜部１０５ｂは「対面する状態に配設される一対の第一導電性磁性体部のうちの一方の具体例」を構成し、後方傾斜部１０５ｃは「対面する状態に配設される一対の第一導電性磁性体部のうちの他方の具体例」を構成する。
【０２５７】
前方傾斜部１０５ｂの後面部１０５Ｂと後方傾斜部１０５ｃの前面部１０５Ｆとは、頂部１０５ａを中心とした鋭角を形成しつつ前後に対面する状態とされる。そして、この後面部１０５Ｂにおいて上下方向中間より若干下方に位置する所定の部位が第１の固定接点部１０５Ｄとされ、この前面部１０５Ｆにおいて上下方向中間より若干下方に位置する所定の部位が第２の固定接点部１０５Ｅとされる。この第１の固定接点部１０５Ｄと、第２の固定接点部１０５Ｅとは前後に間隔を開けた状態で対向する状態とされている。
【０２５８】
軸受部材１０６は電気的な絶縁性を備える素材（樹脂等）で構成されると共に、略円筒体に軸心方向に沿って長尺なスリット１０６ａを設けた形状を備える。つまり、軸受部材１０６の軸心に直交する断面は、下方に開口部を配した略Ｃ字形状とされている。そして、この軸受部材１０６は、軸心を左右水平方向に向け、スリット１０６ａを下方に配置した状態で固定接点形成用部材１０５の頂部１０５ａの下面に固定されている。尚、スリット１０６ａの「軸受部材１０６の周方向」に沿った中心角（以下、単に「中心角」という。）は「前方傾斜部１０５ｂ及び後方傾斜部１０５ｃのなす角度」より小さく（例えば、３０度〜７０度うちの何れかの角度）とされている。
【０２５９】
揺動部材１０７は導電性磁性体を用いて構成され、図４５に示すように、略板状の本体部１０７ａと、本体部１０７ａの上端部に一体化された略円柱形状の部位で構成される軸部１０７ｂとを備えている。また、本体部１０７ａの下端中央部には切り欠き部１０７ｃが設けられ、この切り欠き部１０７ｃには永久磁石１０７ｄが嵌合状態で装着されている。また、本体部１０７ａの後面右端側の下半部からは突片部１０７ｅが後方に向かって突出し、本体部１０７ａの前面左端側の下半部からは突片部１０７ｆが前方に向かって突出している。尚、永久磁石１０７ｄは実施例２と同様に、一方の磁極を前方に向け、他方の磁極を後方に向けた状態とされている。
【０２６０】
この揺動部材１０７の軸部１０７ｂは軸受部材１０６に挿通され（図４４を参照）、この軸受部材１０６によって回動可能な状態に支持されている。これにより、揺動部材１０７は固定接点形成用部材１０５が保持する軸受部材１０６によって前後に揺動可能な状態に支持されるが、その揺動範囲はスリット１０６ａの中心角によって規制される。蓋し、本体部１０７ａの上端部（軸部１０７ｂの近傍に位置する部分）はスリット１０６ａに挿通されているため、揺動部材１０７の揺動範囲は、この上端部がスリット１０６ａ内を前後に移動可能な範囲に規制されるからである。
【０２６１】
図示を省略するが、この変形例４に係る検出装置本体１００も、実施例１と同様に、中継端子板２８１を介して主制御部２００Ａ（主制御基板２００）に接続されている。つまり、揺動部材１０７には実施例１と同様な配線Ｓ１が接続され、この配線Ｓ１の入力端子ＶＣＣには所定の電圧（５Ｖ）が印加されている。また、固定接点形成用部材１０５には実施例１と同様な配線Ｓ２の一端部が接続され、この配線Ｓ２の他端部はグランドライン（ＧＮＤ）に接続されている。更に、この配線Ｓ２の中間部ＳＣから中継端子板２８１に延びる配線Ｓ３（実施例１と同様な配線Ｓ３）が分岐されている。また、配線Ｓ２の中間部ＳＣとグランドライン（ＧＮＤ）との間には実施例１と同様な抵抗器１００Ｔが介在されている。
【０２６２】
但し、変形例４においては軸受部材１０６が「電気的な絶縁性」を備える素材で構成されるため、常時（外力が負荷されていない通常時）において揺動部材１０７と固定接点形成用部材１０５とは導通しない状態とされる。
【０２６３】
変形例４においては遊技機に外力（振動力、磁力）が加えられると、揺動部材１０７が前後に揺動する。そして、図４６の実線に示すように、揺動部材１０７が後方に振れたときに、突片部１０７ｅが第２の固定接点部１０５Ｅに当接して揺動部材１０７と第２の固定接点部１０５Ｅ（固定接点形成用部材１０５）とが導通する。また、図４６の破線に示すように、揺動部材１０７が前方に振れたときに、突片部１０７ｆが第１の固定接点部１０５Ｄに当接して揺動部材１０７と第１の固定接点部１０５Ｄ（固定接点形成用部材１０５）とが導通する。
【０２６４】
変形例４においても、実施例１と同様な効果を得ることができる。しかも、変形例４では、実施例２と同様に、揺動部材１０７が永久磁石１０７ｄを備えるため、不正行為の検出をより高精度に行うことができる。更に、変形例４では、揺動部材１０７が突片部１０７ｅ、１０７ｆを備える分だけ、揺動部材１０７と固定接点部１０５Ｄ、１０５Ｅの距離が短くされるため、「振動」及び「磁力」を更に高精度に検出することができる。加えて、変形例４では、固定接点形成用部材１０５を一材の導電性磁性体を用いて構成するため、検出装置本体１００の構造の簡略化を図ることができる。
【０２６５】
尚、一材の導電性磁性体で構成される固定接点形成用部材１０５の形状は変形例４に示す山形に限定されない。例えば、図４７（ａ）の変形例５に示すように、「コの字状の断面形状（上方に開口するコの字状若しくはＵ字状）」を備える固定接点形成用部材１０５を例示することもできる。この固定接点形成用部材１０５では、底部を構成する基体部１０５Ｈと、基体部１０５Ｈの前端縁から上方に立ち上げられた第１の固定接点形成部１０５Ｊと、基体部１０５Ｈの後端縁から上方に立ち上げられた第２の固定接点形成部１０５Ｋとを備えている。そして、第１の固定接点形成部１０５Ｊの後面部の上下方向に沿った中間部に第１の固定接点部１０５Ｌが設けられ、第２の固定接点形成部１０５Ｋの後面部の上下方向に沿った中間部に第２の固定接点部１０５Ｍが設けられる。
【０２６６】
各実施例及び各変形例では、上端部の支点を中心に振り子運動（揺動）可能に配設される揺動部材を例示したが、各請求項の揺動部材は、例えば、図４７（ｂ）の変形例６に示すように、下端部の支点を中心として揺動可能に配設される揺動部材１１０であってもよい。この変形例６の揺動部材１１０は導電性磁性体を用いて構成される板バネを用いて構成されている。この揺動部材１１０の下端部は所定の設置部（遊技機の一部、つまり、遊技盤１０等を例示できる。）１１０Ｋに埋設されている。つまり、揺動部材１１０は設置部１１０Ｋから略片持ち梁状に突出（上方に突出）する状態とされている。
【０２６７】
この揺動部材１１０においては下端部が設置部１１０Ｋに対して埋設されているため、遊技機に外力（振動力、磁力）が加えられると、揺動部材１１０は所定方向（本変形例では、前後）に撓むことになる（破線１１１Ａ、１１１Ｂを参照）。そして、揺動部材１１０が後方に撓んだ（後方に振れた）ときに、揺動部材１１０が第２の固定接点部１１５Ｅに当接して導通する。また、揺動部材１１０が前方に撓んだ（前方に振れた）ときに、揺動部材１１０の上端部が第１の固定接点部１１５Ｆに当接して導通する。このため、変形例６においても、実施例１と同様な効果を得ることができる
【産業上の利用可能性】
【０２６８】
本発明は、遊技機を製造、販売等する分野において利用できる。
【図面の簡単な説明】
【０２６９】
【図１】本発明の各実施例に係る遊技機を示す斜視図である。
【図２】本発明の各実施例（実施例４を除く）に係る遊技機において遊技盤を示す正面図である。
【図３】本発明の各実施例に係る遊技機において外枠及び遊技機本体等を説明するための概略的な説明図である。
【図４】実施例１の装置本体の取付位置等を説明するために、遊技盤、ガラス扉枠及び上皿部材等を示す説明図である。
【図５】本発明の各実施例（実施例３を除く）に係る遊技機において遊技盤を示す正面図である。
【図６】本発明の各実施例（実施例３を除く）に係る遊技機において中央装置を示す正面図である。
【図７】本発明の各実施例（実施例３を除く）に係る遊技機において中央装置の要部を示す斜視図である。
【図８】本発明の各実施例（実施例３を除く）に係る遊技機において中央装置の要部を示す平面図である。
【図９】本発明の各実施例（実施例３を除く）に係る遊技機において通過路形成部材等を説明するための説明図である。
【図１０】本発明の各実施例（実施例３を除く）に係る遊技機において通過路形成部材等を説明するための縦断面図（図９のａ−ａ断面図）である。
【図１１】第１の誘導装置の要部を示す説明図である。
【図１２】移送ローラ等を説明するための説明図である。
【図１３】移送ローラ等を説明するための説明図である。
【図１４】（ａ）は移送ローラの断面図（第１の配設位置ｄ１の断面図）であり、（ｂ）は移送ローラの断面図（第２の配設位置ｄ２の断面図）であり、（ｃ）は移送ローラの断面図（第３の配設位置ｄ３の断面図）である。
【図１５】（ａ）は受入転動部を説明するための正面図であり、（ｂ）は図２０（ａ）ｂ−ｂ断面図であり、（ｃ）は図２０（ａ）ｃ−ｃ断面図である。
【図１６】（ａ）及び（ｂ）は第１の誘導装置の作用を説明するための説明図である。
【図１７】（ａ）及び（ｂ）は第１の誘導装置の作用を説明するための説明図である。
【図１８】（ａ）〜（ｃ）は第２の誘導装置を説明するための説明図である。
【図１９】本発明の各実施例（実施例３を除く）に係る遊技機において中央装置の誘導態様を説明するための説明図である。
【図２０】実施例１に係る遊技機において第２の誘導装置の要部を概略的に示すための説明図である（図９のｇ−ｇ断面に相当）。
【図２１】装置本体の要部を示す概略的な縦断面図である。
【図２２】装置本体の要部を示す概略的な縦断面図である。
【図２３】（ａ）及び（ｂ）は本発明の各実施例（実施例３を除く）において保留表示装置を説明するための説明図である。
【図２４】（ａ）及び（ｂ）は本発明の各実施例（実施例３を除く）において第１の表示装置を説明するための説明図である。
【図２５】（ａ）〜（ｃ）は本発明の各実施例において第１の表示装置の表示態様を説明するための説明図である。
【図２６】本発明の各実施例に係る遊技機の背面図である。
【図２７】本発明の各実施例に係る電子制御装置を示すブロック図である。
【図２８】本発明の各実施例に係る電子制御装置を示すブロック図である。
【図２９】本発明の各実施例に係る電子制御装置を示すブロック図である。
【図３０】本発明の各実施例に係る電子制御装置を示すブロック図である。
【図３１】本発明の各実施例に係る電子制御装置を示すブロック図である。
【図３２】各実施例の遊技機で行われる遊技の大まかな流れを示したブロック図である。
【図３３】変形例１に係る遊技盤を示す正面図である。
【図３４】（ａ）及び（ｂ）は図３４の要部拡大正面図である。
【図３５】変形例１に係る遊技機において装置本体の取付状態を示す縦断面図である。
【図３６】実施例２の装置本体を示す縦断面図である。
【図３７】（ａ）及び（ｂ）は実施例２の装置本体を示す縦断面図である。
【図３８】実施例３に係る遊技盤を示す正面図である。
【図３９】（ａ）は実施例３に係る遊技機において装置本体の取付状態を示す縦断面図であり、（ｂ）は変形例２の装置本体を示す縦断面図である。
【図４０】実施例４に係る遊技機において遊技盤を示す正面図である。
【図４１】実施例４に係る遊技機において装置本体の取付状態を示す縦断面図である。
【図４２】実施例４に係る遊技機において装置本体の特徴を説明するための説明図である。
【図４３】変形例３に係る電子制御装置を示すブロック図である。
【図４４】変形例４の装置本体の右側面図である。
【図４５】（ａ）は変形例４の装置本体を構成する揺動部材の正面図であり、（ｂ）は図４５（ａ）のｐ−ｐ断面図であり、（ｃ）は図４５（ａ）のｓ−ｓ断面図である。
【図４６】変形例４の装置本体を構成する揺動部材の動作を示す右側面図である。
【図４７】（ａ）は変形例５の装置本体を縦断面図であり、（ｂ）は変形例６の装置本体を縦断面図である。
【符号の説明】
【０２７０】
１；遊技機（弾球遊技機）、
１０；遊技盤
１０Ｈ；盤本体、
１１；遊技領域、
２０；中央装置（入球装置）、
２５；第１の誘導装置、
２６；第１の誘導装置、
１００；装置本体、
１０１；第１の固定接点形成用部材（導電性磁性体）、
１０２；第２の固定接点形成用部材（導電性磁性体）、
１０３；揺動部材、
１０１Ｓ、１０５Ｄ；第１の固定接点部、
１０２Ｓ、１０５Ｅ；第２の固定接点部、
１０５；固定接点形成用部材（導電性磁性体）、
２００；主制御部（不正検出手段）、
ＳＲ；特別領域部（第２の領域部）、
ＴＲ；通常領域部（第１の領域部）。
【図１】
2009142569.tif 000003
【図２】
2009142569.tif 000004
【図３】
2009142569.tif 000005
【図４】
2009142569.tif 000006
【図５】
2009142569.tif 000007
【図６】
2009142569.tif 000008
【図７】
2009142569.tif 000009
【図８】
2009142569.tif 000010
【図９】
2009142569.tif 000011
【図１０】
2009142569.tif 000012
【図１１】
2009142569.tif 000013
【図１２】
2009142569.tif 000014
【図１３】
2009142569.tif 000015
【図１４】
2009142569.tif 000016
【図１５】
2009142569.tif 000017
【図１６】
2009142569.tif 000018
【図１７】
2009142569.tif 000019
【図１８】
2009142569.tif 000020
【図１９】
2009142569.tif 000021
【図２０】
2009142569.tif 000022
【図２１】
2009142569.tif 000023
【図２２】
2009142569.tif 000024
【図２３】
2009142569.tif 000025
【図２４】
2009142569.tif 000026
【図２５】
2009142569.tif 000027
【図２６】
2009142569.tif 000028
【図２７】
2009142569.tif 000029
【図２８】
2009142569.tif 000030
【図２９】
2009142569.tif 000031
【図３０】
2009142569.tif 000032
【図３１】
2009142569.tif 000033
【図３２】
2009142569.tif 000034
【図３３】
2009142569.tif 000035
【図３４】
2009142569.tif 000036
【図３５】
2009142569.tif 000037
【図３６】
2009142569.tif 000038
【図３７】
2009142569.tif 000039
【図３８】
2009142569.tif 000040
【図３９】
2009142569.tif 000041
【図４０】
2009142569.tif 000042
【図４１】
2009142569.tif 000043
【図４２】
2009142569.tif 000044
【図４３】
2009142569.tif 000045
【図４４】
2009142569.tif 000046
【図４５】
2009142569.tif 000047
【図４６】
2009142569.tif 000048
【図４７】
2009142569.tif 000049